(57)【要約】  本願の実施例は、アップリンク伝送方法、装置、送信端末、受信端末、及びシステムを提供し、通信分野に関する。前記方法は、端末装置が少なくとも２つのリソースセットを確定し、前記少なくとも２つのリソースセットの各リソースセット内のリソースエレメントにおいて、少なくとも２つのリソースエレメントはその周波数領域の位置が異なることと、端末装置がアクセスネットワーク装置から送信された設定シグナリングを受信することと、端末装置が設定シグナリングに基づいて少なくとも２つのリソースセットから第一種類リソースセットと第二種類リソースセットを確定し、第一種類リソースセットはアップリンク制御チャネルにおけるアップリンク制御情報を伝送することに用いられ、第二種類リソースセットはアップリンク制御チャネルにおけるアップリンク参照信号を伝送することに用いられることと、端末装置がアップリンク制御チャネルを送信することと、を含む。
2020515142.tif 000002
【特許請求の範囲】
【請求項１】
アップリンク伝送方法であって、前記方法は、
端末装置が少なくとも２つのリソースセットを確定し、前記少なくとも２つのリソースセットの各リソースセット内のリソースエレメントにおいて、少なくとも２つのリソースエレメントはその周波数領域の位置が異なることと、
前記端末装置がアクセスネットワーク装置から送信された設定シグナリングを受信することと、
前記端末装置が前記設定シグナリングに基づいて前記少なくとも２つのリソースセットから第一種類リソースセットを確定し、前記第一種類リソースセットは、アップリンク制御チャネルにおけるアップリンク制御情報を伝送することに用いられることと、
前記端末装置が前記アップリンク制御チャネルを送信することと、を含むことを特徴とする、アップリンク伝送方法。
【請求項２】
前記方法は、
前記端末装置が前記設定シグナリングに基づいて前記少なくとも２つのリソースセットから第二種類リソースセットを確定し、前記第二種類リソースセットは、前記アップリンク制御チャネルにおけるアップリンク参照信号を伝送することに用いられることを更に含むことを特徴とする、請求項１に記載の方法。
【請求項３】
前記アップリンク参照信号に採用される参照信号シーケンスの長さＱは、前記アップリンク参照信号に対応する１つの前記第二種類リソースセットにおけるリソースエレメント数に相等し、
又は、
前記アップリンク参照信号に採用される参照信号シーケンスの長さＱは、前記アップリンク参照信号に対応する１つの前記第二種類リソースセットの、単一リソースブロックにおけるリソースエレメント数に相等することを特徴とする、請求項２に記載の方法。
【請求項４】
前記少なくとも２つのリソースセットの各リソースセットに含まれるリソースエレメント数は同じであることを特徴とする、請求項１〜３のいずれか１項に記載の方法。
【請求項５】
前記少なくとも２つのリソースセットの各リソースセット内のリソースエレメントは、時間領域において、一つの時間領域ユニットに属することを特徴とする、請求項１〜４のいずれか１項に記載の方法。
【請求項６】
前記少なくとも２つのリソースセットの各リソースセット内のリソースエレメントは、周波数領域において、一つのリソースブロックに属することを特徴とする、請求項１〜４のいずれか１項に記載の方法。
【請求項７】
前記少なくとも２つのリソースセットの各リソースセット内のリソースエレメントは、周波数領域において複数のリソースブロックに属し、前記アップリンク制御チャネルは前記複数のリソースブロックを介して伝送を行うことを特徴とする、請求項１〜４のいずれか１項に記載の方法。
【請求項８】
前記少なくとも２つのリソースセットの各リソースセット内の、一つの時間領域ユニットに属するリソースエレメントは、周波数領域において、等間隔分布することを特徴とする、請求項１〜７のいずれか１項に記載の方法。
【請求項９】
前記少なくとも２つのリソースセットは、まず周波数領域それから時間領域の順序で索引を行い、
又は、
前記少なくとも２つのリソースセットは、まず時間領域それから周波数領域の順序で索引を行い、
又は、
前記少なくとも２つのリソースセットは、各リソースブロックにおいて、まず周波数領域それから時間領域の順序で索引を行い、更に前記リソースブロック間の昇順または降順で索引を行い、
又は、
前記少なくとも２つのリソースセットは、各リソースブロックにおいて、まず時間領域それから周波数領域の順序で索引を行い、更に前記リソースブロック間の昇順または降順で索引を行うことを特徴とする、請求項１〜８のいずれか１項に記載の方法。
【請求項１０】
前記リソースセットのセット分割方式は事前に定義又は事前に設定されたものであることを特徴とする、請求項１〜９のいずれか１項に記載の方法。
【請求項１１】
少なく１つの第一種類リソースセットは前記ＵＣＩを伝送するためのセットであり、各前記第一種類リソースセットは１つのＵＣＩ変調シンボルを伝送することに用いられ、
各前記ＵＣＩ変調シンボルは拡散された後、前記第一種類リソースセット内にある全てのリソースエレメントにマッピングされて伝送されることを特徴とする、請求項１〜１０のいずれか１項に記載の方法。
【請求項１２】
アップリンク伝送方法であって、前記方法は、
アクセスネットワーク装置が少なくとも２つのリソースセットを確定し、前記少なくとも２つのリソースセットの各リソースセット内のリソースエレメントにおいて、少なくとも２つのリソースエレメントはその周波数領域の位置が異なることと、
前記アクセスネットワーク装置が端末装置に設定シグナリングを送信し、前記設定シグナリングは前記少なくとも２つのリソースセットにおいて第一種類リソースセットを設定することに用いられ、前記第一種類リソースセットはアップリンク制御チャネルにおけるアップリンク参照信号を伝送することに用いられることと、
前記アクセスネットワーク装置が前記アップリンク制御チャネルを受信することと、を含むことを特徴とする、アップリンク伝送方法。
【請求項１３】
前記設定情報は更に前記少なくとも２つのリソースセットにおいて第二種類リソースセットを設定することに用いられ、前記第二種類リソースセットは前記アップリンク制御チャネルにおけるアップリンク参照信号を伝送することに用いられることを特徴とする、請求項１２に記載の方法。
【請求項１４】
前記アップリンク参照信号に採用される参照信号シーケンスの長さＱは、前記アップリンク参照信号に対応する１つの前記第二種類リソースセットにおけるリソースエレメント数に相等し、
又は、
前記アップリンク参照信号に採用される参照信号シーケンスの長さＱは、前記アップリンク参照信号に対応する１つの前記第二種類リソースセットの、単一リソースブロックにおけるリソースエレメント数に相等することを特徴とする、請求項１３に記載の方法。
【請求項１５】
前記少なくとも２つのリソースセットの各リソースセットに含まれるリソースエレメント数は同じであることを特徴とする、請求項１２〜１４のいずれか１項に記載の方法。
【請求項１６】
前記少なくとも２つのリソースセットの各リソースセット内のリソースエレメントは、時間領域において、一つの時間領域ユニットに属することを特徴とする、請求項１２〜１５のいずれか１項に記載の方法。
【請求項１７】
前記少なくとも２つのリソースセットの各リソースセット内のリソースエレメントは、周波数領域において、一つのリソースブロックに属することを特徴とする、請求項１２〜１５のいずれか１項に記載の方法。
【請求項１８】
前記少なくとも２つのリソースセットの各リソースセット内のリソースエレメントは、周波数領域において複数のリソースブロックに属し、前記アップリンク制御チャネルは前記複数のリソースブロックを介して伝送を行うことを特徴とする、請求項１２〜１５のいずれか１項に記載の方法。
【請求項１９】
前記少なくとも２つのリソースセットの各リソースセット内の、一つの時間領域ユニットに属するリソースエレメントは、周波数領域において、等間隔分布することを特徴とする、請求項１２〜１８のいずれか１項に記載の方法。
【請求項２０】
前記少なくとも２つのリソースセットは、まず周波数領域それから時間領域の順序で索引を行い、
又は、
前記少なくとも２つのリソースセットは、まず時間領域それから周波数領域の順序で索引を行い、
又は、
前記少なくとも２つのリソースセットは、各リソースブロックにおいて、まず周波数領域それから時間領域の順序で索引を行い、更に前記リソースブロック間の昇順または降順で索引を行い、
又は、
前記少なくとも２つのリソースセットは、各リソースブロックにおいて、まず時間領域それから周波数領域の順序で索引を行い、更に前記リソースブロック間の昇順または降順で索引を行うことを特徴とする、請求項１２〜１９のいずれか１項に記載の方法。
【請求項２１】
前記リソースセットのセット分割方式は事前に定義又は事前に設定されたものであることを特徴とする、請求項１２〜２０のいずれか１項に記載の方法。
【請求項２２】
少なく１つの第一種類リソースセットは前記ＵＣＩを伝送するためのセットであり、各前記第一種類リソースセットは１つのＵＣＩ変調シンボルを伝送することに用いられ、
各前記ＵＣＩ変調シンボルは拡散された後、前記第一種類リソースセット内にある全てのリソースエレメントにマッピングされて伝送されることを特徴とする、請求項１２〜２１のいずれか１項に記載の方法。
【請求項２３】
アップリンク伝送装置であって、前記装置は、
少なくとも２つのリソースセットを確定し、前記少なくとも２つのリソースセットの各リソースセット内のリソースエレメントにおいて、少なくとも２つのリソースエレメントはその周波数領域の位置が異なることに用いられる確定ユニットと、
アクセスネットワーク装置から送信された設定シグナリングを受信することに用いれる受信ユニットと、
前記アップリンク制御チャネルを送信することに用いられる送信ユニットと、を含み、
前記確定ユニットは前記設定シグナリングに基づいて前記少なくとも２つのリソースセットから第一種類リソースセットを確定し、前記第一種類リソースセットは、アップリンク制御チャネルにおけるアップリンク制御情報を伝送することに用いられることを特徴とする、アップリンク伝送装置。
【請求項２４】
前記確定ユニットは更に前記設定シグナリングに基づいて前記少なくとも２つのリソースセットから第二種類リソースセットを確定し、前記第二種類リソースセットは、前記アップリンク制御チャネルにおけるアップリンク参照信号を伝送することに用いられることを特徴とする、請求項２３に記載の方法。
【請求項２５】
前記アップリンク参照信号に採用される参照信号シーケンスの長さＱは、前記アップリンク参照信号に対応する１つの前記第二種類リソースセットにおけるリソースエレメント数に相等し、
又は、
前記アップリンク参照信号に採用される参照信号シーケンスの長さＱは、前記アップリンク参照信号に対応する１つの前記第二種類リソースセットの、単一リソースブロックにおけるリソースエレメント数に相等することを特徴とする、請求項２３に記載の装置。
【請求項２６】
前記少なくとも２つのリソースセットの各リソースセットに含まれるリソースエレメント数は同じであることを特徴とする、請求項２３〜２５のいずれか１項に記載の装置。
【請求項２７】
前記少なくとも２つのリソースセットの各リソースセット内のリソースエレメントは、時間領域において、一つの時間領域ユニットに属することを特徴とする、請求項２３〜２６のいずれか１項に記載の装置。
【請求項２８】
前記少なくとも２つのリソースセットの各リソースセット内のリソースエレメントは、周波数領域において、一つのリソースブロックに属することを特徴とする、請求項２３〜２６のいずれか１項に記載の方法。
【請求項２９】
前記少なくとも２つのリソースセットの各リソースセット内のリソースエレメントは、周波数領域において複数のリソースブロックに属し、前記アップリンク制御チャネルは前記複数のリソースブロックを介して伝送を行うことを特徴とする、請求項２３〜２６のいずれか１項に記載の装置。
【請求項３０】
前記少なくとも２つのリソースセットの各リソースセット内の、一つの時間領域ユニットに属するリソースエレメントは、周波数領域において、等間隔分布することを特徴とする、請求項２３〜２９のいずれか１項に記載の装置。
【請求項３１】
前記少なくとも２つのリソースセットは、まず周波数領域それから時間領域の順序で索引を行い、
又は、
前記少なくとも２つのリソースセットは、まず時間領域それから周波数領域の順序で索引を行い、
又は、
前記少なくとも２つのリソースセットは、各リソースブロックにおいて、まず周波数領域それから時間領域の順序で索引を行い、更に前記リソースブロック間の昇順または降順で索引を行い、
又は、
前記少なくとも２つのリソースセットは、各リソースブロックにおいて、まず時間領域それから周波数領域の順序で索引を行い、更に前記リソースブロック間の昇順または降順で索引を行うことを特徴とする、請求項２３〜３０のいずれか１項に記載の装置。
【請求項３２】
前記リソースセットのセット分割方式は事前に定義又は事前に設定されたものであることを特徴とする、請求項２３〜３１のいずれか１項に記載の装置。
【請求項３３】
少なく１つの第一種類リソースセットは前記ＵＣＩを伝送するためのセットであり、各前記第一種類リソースセットは１つのＵＣＩ変調シンボルを伝送することに用いられ、
各前記ＵＣＩ変調シンボルは拡散された後、前記第一種類リソースセット内にある全てのリソースエレメントにマッピングされて伝送されることを特徴とする、請求項２３〜３２のいずれか１項に記載の装置。
【請求項３４】
アップリンク伝送装置であって、前記装置は、
少なくとも２つのリソースセットを確定し、前記少なくとも２つのリソースセットの各リソースセット内のリソースエレメントにおいて、少なくとも２つのリソースエレメントはその周波数領域の位置が異なることに用いられる確定ユニットと、
端末に設定シグナリングを送信することに用いられ、前記設定シグナリングは前記少なくとも２つのリソースセットにおいて第一種類リソースセットを設定することに用いられ、前記第一種類リソースセットはアップリンク制御チャネルにおけるアップリンク参照信号を伝送することに用いられる送信ユニットと、
前記アップリンク制御チャネルを受信することに用いられる受信ユニットと、を含むことを特徴とする、アップリンク伝送装置。
【請求項３５】
前記設定情報は更に前記少なくとも２つのリソースセットにおいて第二種類リソースセットを設定することに用いられ、前記第二種類リソースセットは前記アップリンク制御チャネルにおけるアップリンク参照信号を伝送することに用いられることを特徴とする、請求項３４に記載の装置。
【請求項３６】
前記アップリンク参照信号に採用される参照信号シーケンスの長さＱは、前記アップリンク参照信号に対応する１つの前記第二種類リソースセットにおけるリソースエレメント数に相等し、
又は、
前記アップリンク参照信号に採用される参照信号シーケンスの長さＱは、前記アップリンク参照信号に対応する１つの前記第二種類リソースセットの、単一リソースブロックにおけるリソースエレメント数に相等することを特徴とする、請求項３４に記載の装置。
【請求項３７】
前記少なくとも２つのリソースセットの各リソースセットに含まれるリソースエレメント数は同じであることを特徴とする、請求項３４〜３６のいずれか１項に記載の装置。
【請求項３８】
前記少なくとも２つのリソースセットの各リソースセット内のリソースエレメントは、時間領域において、一つの時間領域ユニットに属することを特徴とする、請求項３４〜３７のいずれか１項に記載の装置。
【請求項３９】
前記少なくとも２つのリソースセットの各リソースセット内のリソースエレメントは、周波数領域において、一つのリソースブロックに属することを特徴とする、請求項３４〜３７のいずれか１項に記載の装置。
【請求項４０】
前記少なくとも２つのリソースセットの各リソースセット内のリソースエレメントは、周波数領域において複数のリソースブロックに属し、前記アップリンク制御チャネルは前記複数のリソースブロックを介して伝送を行うことを特徴とする、請求項３４〜３７のいずれか１項に記載の装置。
【請求項４１】
前記少なくとも２つのリソースセットの各リソースセット内の、一つの時間領域ユニットに属するリソースエレメントは、周波数領域において、等間隔分布することを特徴とする、請求項３４〜４０のいずれか１項に記載の装置。
【請求項４２】
前記少なくとも２つのリソースセットは、まず周波数領域それから時間領域の順序で索引を行い、
又は、
前記少なくとも２つのリソースセットは、まず時間領域それから周波数領域の順序で索引を行い、
又は、
前記少なくとも２つのリソースセットは、各リソースブロックにおいて、まず周波数領域それから時間領域の順序で索引を行い、更に前記リソースブロック間の昇順または降順で索引を行い、
又は、
前記少なくとも２つのリソースセットは、各リソースブロックにおいて、まず時間領域それから周波数領域の順序で索引を行い、更に前記リソースブロック間の昇順または降順で索引を行うことを特徴とする、請求項３４〜４１のいずれか１項に記載の装置。
【請求項４３】
前記リソースセットのセット分割方式は事前に定義又は事前に設定されたものであることを特徴とする、請求項３４〜４２のいずれか１項に記載の装置。
【請求項４４】
少なく１つの第一種類リソースセットは前記ＵＣＩを伝送するためのセットであり、各前記第一種類リソースセットは１つのＵＣＩ変調シンボルを伝送することに用いられ、
各前記ＵＣＩ変調シンボルは拡散された後、前記第一種類リソースセット内にある全てのリソースエレメントにマッピングされて伝送されることを特徴とする、請求項３４〜４３のいずれか１項に記載の装置。
【請求項４５】
端末装置であって、前記端末装置は、
少なくとも２つのリソースセットを確定し、前記少なくとも２つのリソースセットの各リソースセット内のリソースエレメントにおいて、少なくとも２つのリソースエレメントはその周波数領域の位置が異なることに用いられるプロセッサと、
アクセスネットワーク装置から送信された設定シグナリングを受信することに用いれる受信器と、
前記アップリンク制御チャネルを送信することに用いられる送信器と、を含み、
前記プロセッサは更に前記設定シグナリングに基づいて前記少なくとも２つのリソースセットから第一種類リソースセットを確定し、前記第一種類リソースセットは、アップリンク制御チャネルにおけるアップリンク制御情報を伝送することに用いられることを特徴とする、端末装置。
【請求項４６】
前記プロセッサは更に前記設定シグナリングに基づいて前記少なくとも２つのリソースセットから第二種類リソースセットを確定し、前記第二種類リソースセットは、前記アップリンク制御チャネルにおけるアップリンク参照信号を伝送することに用いられることを特徴とする、請求項４５に記載の装置。
【請求項４７】
前記アップリンク参照信号に採用される参照信号シーケンスの長さＱは、前記アップリンク参照信号に対応する１つの前記第二種類リソースセットにおけるリソースエレメント数に相等し、
又は、
前記アップリンク参照信号に採用される参照信号シーケンスの長さＱは、前記アップリンク参照信号に対応する１つの前記第二種類リソースセットの、単一リソースブロックにおけるリソースエレメント数に相等することを特徴とする、請求項４６に記載の装置。
【請求項４８】
前記少なくとも２つのリソースセットの各リソースセットに含まれるリソースエレメント数は同じであることを特徴とする、請求項４５〜４７のいずれか１項に記載の装置。
【請求項４９】
前記少なくとも２つのリソースセットの各リソースセット内のリソースエレメントは、時間領域において、一つの時間領域ユニットに属することを特徴とする、請求項４５〜４８のいずれか１項に記載の装置。
【請求項５０】
前記少なくとも２つのリソースセットの各リソースセット内のリソースエレメントは、周波数領域において、一つのリソースブロックに属することを特徴とする、請求項４５〜４９のいずれか１項に記載の装置。
【請求項５１】
前記少なくとも２つのリソースセットの各リソースセット内のリソースエレメントは、周波数領域において複数のリソースブロックに属し、前記アップリンク制御チャネルは前記複数のリソースブロックを介して伝送を行うことを特徴とする、請求項４５〜４９のいずれか１項に記載の装置。
【請求項５２】
前記少なくとも２つのリソースセットの各リソースセット内の、一つの時間領域ユニットに属するリソースエレメントは、周波数領域において、等間隔分布することを特徴とする、請求項４５〜４９のいずれか１項に記載の装置。
【請求項５３】
前記少なくとも２つのリソースセットは、まず周波数領域それから時間領域の順序で索引を行い、
又は、
前記少なくとも２つのリソースセットは、まず時間領域それから周波数領域の順序で索引を行い、
又は、
前記少なくとも２つのリソースセットは、各リソースブロックにおいて、まず周波数領域それから時間領域の順序で索引を行い、更に前記リソースブロック間の昇順または降順で索引を行い、
又は、
前記少なくとも２つのリソースセットは、各リソースブロックにおいて、まず時間領域それから周波数領域の順序で索引を行い、更に前記リソースブロック間の昇順または降順で索引を行うことを特徴とする、請求項４５〜５２のいずれか１項に記載の装置。
【請求項５４】
前記リソースセットのセット分割方式は事前に定義又は事前に設定されたものであることを特徴とする、請求項４５〜５３のいずれか１項に記載の装置。
【請求項５５】
少なく１つの第一種類リソースセットは前記ＵＣＩを伝送するためのセットであり、各前記第一種類リソースセットは１つのＵＣＩ変調シンボルを伝送することに用いられ、
各前記ＵＣＩ変調シンボルは拡散された後、前記第一種類リソースセット内にある全てのリソースエレメントにマッピングされて伝送されることを特徴とする、請求項４５〜５４のいずれか１項に記載の装置。
【請求項５６】
アクセスネットワーク装置であって、前記アクセスネットワーク装置は、
少なくとも２つのリソースセットを確定し、前記少なくとも２つのリソースセットの各リソースセット内のリソースエレメントにおいて、少なくとも２つのリソースエレメントはその周波数領域の位置が異なることに用いられるプロセッサと、
端末装置に設定シグナリングを送信することに用いられ、前記設定シグナリングは前記少なくとも２つのリソースセットにおいて第一種類リソースセットを設定することに用いられ、前記第一種類リソースセットはアップリンク制御チャネルにおけるアップリンク参照信号を伝送することに用いられる送信器と、
前記アップリンク制御チャネルを受信することに用いられる受信器と、を含むことを特徴とする、アクセスネットワーク装置。
【請求項５７】
前記設定情報は更に前記少なくとも２つのリソースセットにおいて第二種類リソースセットを設定することに用いられ、前記第二種類リソースセットは前記アップリンク制御チャネルにおけるアップリンク参照信号を伝送することに用いられることを特徴とする、請求項５６に記載のアクセスネットワーク装置。
【請求項５８】
前記アップリンク参照信号に採用される参照信号シーケンスの長さＱは、前記アップリンク参照信号に対応する１つの前記第二種類リソースセットにおけるリソースエレメント数に相等し、
又は、
前記アップリンク参照信号に採用される参照信号シーケンスの長さＱは、前記アップリンク参照信号に対応する１つの前記第二種類リソースセットの、単一リソースブロックにおけるリソースエレメント数に相等することを特徴とする、請求項５６に記載のアクセスネットワーク装置。
【請求項５９】
前記少なくとも２つのリソースセットの各リソースセットに含まれるリソースエレメント数は同じであることを特徴とする、請求項５６〜３６のいずれか１項に記載のアクセスネットワーク装置。
【請求項６０】
前記少なくとも２つのリソースセットの各リソースセット内のリソースエレメントは、時間領域において、一つの時間領域ユニットに属することを特徴とする、請求項５６〜５９のいずれか１項に記載のアクセスネットワーク装置。
【請求項６１】
前記少なくとも２つのリソースセットの各リソースセット内のリソースエレメントは、周波数領域において、一つのリソースブロックに属することを特徴とする、請求項５６〜５９のいずれか１項に記載のアクセスネットワーク装置。
【請求項６２】
前記少なくとも２つのリソースセットの各リソースセット内のリソースエレメントは、周波数領域において複数のリソースブロックに属し、前記アップリンク制御チャネルは前記複数のリソースブロックを介して伝送を行うことを特徴とする、請求項５６〜５９のいずれか１項に記載のアクセスネットワーク装置。
【請求項６３】
前記少なくとも２つのリソースセットの各リソースセット内の、一つの時間領域ユニットに属するリソースエレメントは、周波数領域において、等間隔分布することを特徴とする、請求項５６〜６２のいずれか１項に記載のアクセスネットワーク装置。
【請求項６４】
前記少なくとも２つのリソースセットは、まず周波数領域それから時間領域の順序で索引を行い、
又は、
前記少なくとも２つのリソースセットは、まず時間領域それから周波数領域の順序で索引を行い、
又は、
前記少なくとも２つのリソースセットは、各リソースブロックにおいて、まず周波数領域それから時間領域の順序で索引を行い、更に前記リソースブロック間の昇順または降順で索引を行い、
又は、
前記少なくとも２つのリソースセットは、各リソースブロックにおいて、まず時間領域それから周波数領域の順序で索引を行い、更に前記リソースブロック間の昇順または降順で索引を行うことを特徴とする、請求項５６〜６３のいずれか１項に記載のアクセスネットワーク装置。
【請求項６５】
前記リソースセットのセット分割方式は事前に定義又は事前に設定されたものであることを特徴とする、請求項５６〜６４のいずれか１項に記載のアクセスネットワーク装置。
【請求項６６】
少なく１つの第一種類リソースセットは前記ＵＣＩを伝送するためのセットであり、各前記第一種類リソースセットは１つのＵＣＩ変調シンボルを伝送することに用いられ、
各前記ＵＣＩ変調シンボルは拡散された後、前記第一種類リソースセット内にある全てのリソースエレメントにマッピングされて伝送されることを特徴とする、請求項３４〜６５のいずれか１項に記載のアクセスネットワーク装置。
【請求項６７】
アップリンク伝送システムであって、前記システムは、端末装置とアクセスネットワーク装置を含み、
前記端末装置は請求項２３〜３３のいずれか１項に記載の装置を含み、
前記アクセスネットワーク装置は請求項３４〜４４のいずれか１項に記載の装置を含むことを特徴とする、アップリンク伝送システム。
【請求項６８】
アップリンク伝送システムであって、前記システムは、端末装置とアクセスネットワーク装置を含み、
前記端末装置は請求項４５〜５５のいずれか１項に記載の装置であり、
前記アクセスネットワーク装置は請求項５６〜６６のいずれか１項に記載の装置であることを特徴とする、アップリンク伝送システム。
【発明の詳細な説明】
【技術分野】
【０００１】
本願の実施例は通信分野に関し、特に、アップリンク伝送方法、装置、端末装置、アクセスネットワーク装置及びシステムに関する。
【背景技術】
【０００２】
ロングタームエボリューション（ＬＴＥ、Ｌｏｎｇ−Ｔｅｒｍ  Ｅｖｏｌｕｔｉｏｎ）において、物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）は、ＵＥから発展型基地局（ｅＮＢ、ｅＮｏｄｅＢ）へのアップリンク制御情報（ＵＣＩ、Ｕｐｌｉｎｋ  Ｃｏｎｔｒｏｌ  Ｉｎｆｏｒｍａｔｉｏｎ）をキャリアすることに用いられる。ＵＣＩは、物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）伝送をフィードバックするための確認（ＫＣＫ）と非確認（ＮＡＣＫ）、及びチャネル状態情報（ＣＳＩ、Ｃｈａｎｎｅｌ−Ｓｌａｔｅ  Ｉｎｆｏｒｍａｔｉｏｎ）などを含む。
【０００３】
従来のＰＵＣＣＨは、システム帯域幅のエッジに割り当てられた物理リソースブロック（ＰＲＢ、Ｐｈｙｓｉｃａｌ  Ｒｅｓｏｕｒｃｅ  Ｂｌｏｃｋ）で送信され、周波数領域は１２個のサブキャリアを占用し、時間領域は７個のシンボルを占用する。しかし、５Ｇの新しいエアインターフェイス（ＮＲ、Ｎｅｗ  Ｒａｄｉｏ）のシステムにおいて、低遅延と高速フィードバックという新しい設計ニーズを満たすために、２つの時間長さのＰＵＣＣＨ、即ち、短いＰＵＣＣＨ（ｓｈｏｒｔ−ＰＵＣＣＨ）と長いＰＵＣＣＨ（ｌｏｎｇ−ＰＵＣＣＨ）が同時にサポートされる。その内、短いＰＵＣＣＨは１つ又は２つの時間領域シンボルを含み、長いＰＵＣＣＨは少なくとも４つの時間領域シンボルを含む。短いＰＵＣＣＨの参照信号（ＲＳ、Ｒｅｆｅｒｅｎｃｅ  Ｓｉｇｎａｌ）とＵＣＩの伝送設計については、今まだ解決案が存在しない。
【発明の概要】
【０００４】
短いＰＵＣＣＨのＲＳとＵＣＩの伝送設計について今まだ解決案が存在しないという課題を解決するために、本願の実施例は、アップリンク伝送方法、装置、端末装置、アクセスネットワーク装置及びシステムを提供する。前記技術方案は以下の通りである。
【０００５】
本願実施例の第一態様はアップリンク伝送方法を提供し、前記方法は、
端末装置が少なくとも２つのリソースセットを確定し、前記少なくとも２つのリソースセットの各リソースセット内のリソースエレメントにおいて、少なくとも２つのリソースエレメントはその周波数領域の位置が異なることと、
前記端末装置がアクセスネットワーク装置から送信された設定シグナリングを受信することと、
前記端末装置が前記設定シグナリングに基づいて前記少なくとも２つのリソースセットから第一種類リソースセットを確定し、前記第一種類リソースセットは、アップリンク制御チャネルにおけるアップリンク制御情報を伝送することに用いられることと、
前記端末装置が前記アップリンク制御チャネルを送信することと、を含む。
【０００６】
１つの選択可能な実現方式において、前記方法は、
前記端末装置が前記設定シグナリングに基づいて前記少なくとも２つのリソースセットから第二種類リソースセットを確定し、前記第二種類リソースセットは、前記アップリンク制御チャネルにおけるアップリンク参照信号を伝送することに用いられることを更に含む。
【０００７】
１つの選択可能な実現方式において、前記アップリンク参照信号に採用される参照信号シーケンスの長さＱは、前記アップリンク参照信号に対応する１つの前記第二種類リソースセットにおけるリソースエレメント数に相等し、又は、前記アップリンク参照信号に採用される参照信号シーケンスの長さＱは、前記アップリンク参照信号に対応する１つの前記第二種類リソースセットの、単一リソースブロックにおけるリソースエレメント数に相等する。
【０００８】
１つの選択可能な実現方式において、前記少なくとも２つのリソースセットの各リソースセットに含まれるリソースエレメント数は同じである。
【０００９】
１つの選択可能な実現方式において、前記少なくとも２つのリソースセットの各リソースセット内のリソースエレメントは、時間領域において、一つの時間領域ユニットに属する。
【００１０】
１つの選択可能な実現方式において、前記少なくとも２つのリソースセットの各リソースセット内のリソースエレメントは、周波数領域において、一つのリソースブロックに属する。
【００１１】
１つの選択可能な実現方式において、前記少なくとも２つのリソースセットの各リソースセット内のリソースエレメントは、周波数領域において複数のリソースブロックに属し、前記アップリンク制御チャネルは前記複数のリソースブロックを介して伝送を行う。
【００１２】
１つの選択可能な実現方式において、前記少なくとも２つのリソースセットの各リソースセット内の、一つの時間領域ユニットに属するリソースエレメントは、周波数領域において、等間隔分布する。
【００１３】
１つの選択可能な実現方式において、前記少なくとも２つのリソースセットは、まず周波数領域それから時間領域の順序で索引を行い、又は前記少なくとも２つのリソースセットは、まず時間領域それから周波数領域の順序で索引を行い、又は前記少なくとも２つのリソースセットは、各リソースブロックにおいてまず周波数領域それから時間領域の順序で索引を行い、更に前記リソースブロック間の昇順または降順で索引を行い、又は前記少なくとも２つのリソースセットは、各リソースブロックにおいてまず時間領域それから周波数領域の順序で索引を行い、更に前記リソースブロック間の昇順または降順で索引を行う。
【００１４】
１つの選択可能な実現方式において、前記リソースセットのセット分割方式は事前に定義又は事前に設定されたものである。
【００１５】
１つの選択可能な実現方式において、少なく１つの第一種類リソースセットは前記ＵＣＩを伝送するためのセットであり、各前記第一種類リソースセットは１つのＵＣＩ変調シンボルを伝送することに用いられ、
各前記ＵＣＩ変調シンボルは拡散された後、前記第一種類リソースセット内にある全てのリソースエレメントにマッピングされて伝送される。
【００１６】
本願実施例の第二態様はアップリンク伝送方法を提供し、前記方法は、
アクセスネットワーク装置が少なくとも２つのリソースセットを確定し、前記少なくとも２つのリソースセットの各リソースセット内のリソースエレメントにおいて、少なくとも２つのリソースエレメントはその周波数領域の位置が異なることと、
前記アクセスネットワーク装置が端末装置に設定シグナリングを送信し、前記設定シグナリングは前記少なくとも２つのリソースセットにおいて第一種類リソースセットを設定することに用いられ、前記第一種類リソースセットはアップリンク制御チャネルにおけるアップリンク参照信号を伝送することに用いられることと、
前記アクセスネットワーク装置が前記アップリンク制御チャネルを受信することと、を含む。
【００１７】
１つの選択可能な実現方式において、前記設定情報は更に前記少なくとも２つのリソースセットにおいて第二種類リソースセットを設定することに用いられ、前記第二種類リソースセットは前記アップリンク制御チャネルにおけるアップリンク参照信号を伝送することに用いられる。
【００１８】
１つの選択可能な実現方式において、前記アップリンク参照信号に採用される参照信号シーケンスの長さＱは、前記アップリンク参照信号に対応する１つの前記第二種類リソースセットにおけるリソースエレメント数に相等し、又は、前記アップリンク参照信号に採用される参照信号シーケンスの長さＱは、前記アップリンク参照信号に対応する１つの前記第二種類リソースセットの、単一リソースブロックにおけるリソースエレメント数に相等する。
【００１９】
１つの選択可能な実現方式において、前記少なくとも２つのリソースセットの各リソースセットに含まれるリソースエレメント数は同じである。
【００２０】
１つの選択可能な実現方式において、前記少なくとも２つのリソースセットの各リソースセット内のリソースエレメントは、時間領域において、一つの時間領域ユニットに属する。
【００２１】
１つの選択可能な実現方式において、前記少なくとも２つのリソースセットの各リソースセット内のリソースエレメントは、周波数領域において、一つのリソースブロックに属する。
【００２２】
１つの選択可能な実現方式において、前記少なくとも２つのリソースセットの各リソースセット内のリソースエレメントは、周波数領域において複数のリソースブロックに属し、前記アップリンク制御チャネルは前記複数のリソースブロックを介して伝送を行う。
【００２３】
１つの選択可能な実現方式において、前記少なくとも２つのリソースセットの各リソースセット内の、一つの時間領域ユニットに属するリソースエレメントは、周波数領域において、等間隔分布する。
【００２４】
１つの選択可能な実現方式において、前記少なくとも２つのリソースセットは、まず周波数領域それから時間領域の順序で索引を行い、又は前記少なくとも２つのリソースセットは、まず時間領域それから周波数領域の順序で索引を行い、又は前記少なくとも２つのリソースセットは、各リソースブロックにおいてまず周波数領域それから時間領域の順序で索引を行い、更に前記リソースブロック間の昇順または降順で索引を行い、又は前記少なくとも２つのリソースセットは、各リソースブロックにおいてまず時間領域それから周波数領域の順序で索引を行い、更に前記リソースブロック間の昇順または降順で索引を行う。
【００２５】
１つの選択可能な実現方式において、前記リソースセットのセット分割方式は事前に定義又は事前に設定されたものである。
【００２６】
１つの選択可能な実現方式において、少なく１つの第一種類リソースセットは前記ＵＣＩを伝送するためのセットであり、各前記第一種類リソースセットは１つのＵＣＩ変調シンボルを伝送することに用いられ、
各前記ＵＣＩ変調シンボルは拡散された後、前記第一種類リソースセット内にある全てのリソースエレメントにマッピングされて伝送される。
【００２７】
本願実施例の第三態様はアップリンク伝送装置を提供し、前記アップリンク伝送装置は少なくとも１つのユニットを含み、該少なくとも１つのユニットは前記第一態様又は第一態様における任意の選択可能な実現方式に提供されるアップリンク伝送方法を実現することに用いられる。
【００２８】
本願実施例の第四態様はアップリンク伝送装置を提供し、前記データ伝送装置は少なくとも１つのユニットを含み、該少なくとも１つのユニットは前記第二態様又は第二態様における任意の選択可能な実現方式に提供されるアップリンク伝送方法を実現することに用いられる。
【００２９】
本願実施例の第五態様は端末装置を提供し、前記送信端末はプロセッサ、メモリ、送信機及び受信機を含み、前記プロセッサは１つ又は１つ以上の命令を記憶することに用いられ、前記命令は前記プロセッサによって実行されるように指示され、前記プロセッサは上記第一態様または第一態様における任意の選択可能な実現方式に提供されるアップリンク伝送方法を実現することに用いられる。
【００３０】
本願実施例の第六態様はアクセスネットワーク装置を提供し、前記アクセスネットワーク装置はプロセッサ、メモリ、送信機及び受信機を含み、前記プロセッサは１つ又は１つ以上の命令を記憶することに用いられ、前記命令は前記プロセッサによって実行されるように指示され、前記プロセッサは上記第二態様または第二態様における任意の選択可能な実現方式に提供されるアップリンク伝送方法を実現することに用いられる。
【００３１】
本願実施例の第七態様はコンピュータ可読媒体を提供し、前記コンピュータ可読媒体には１つ又は１つ以上の命令が記憶され、前記命令は上記第一態様または第一態様における任意の選択可能な実現方式に提供されるアップリンク伝送方法を実現することに用いられる。
【００３２】
本願実施例の第八態様はコンピュータ可読媒体を提供し、前記コンピュータ可読媒体には１つ又は１つ以上の命令が記憶され、前記命令は上記第二態様または第二態様における任意の選択可能な実現方式に提供されるアップリンク伝送方法を実現することに用いられる。
【００３３】
本願実施例の第九態様はアップリンク伝送システムを提供し、前記アップリンク伝送システムは端末装置とアクセスネットワーク装置を含み、前記端末装置は上記第三態様又は第三態様における任意の選択可能な実現方式に提供されるようなアップリンク伝送装置を含み、前記アクセスネットワーク装置は上記第四態様又は第四態様における任意の選択可能な実現方式に提供されるようなアップリンク伝送装置を含む。
【００３４】
本願実施例の第十態様はアップリンク伝送システムを提供し、前記アップリンク伝送システムは端末装置とアクセスネットワーク装置を含み、前記端末装置は上記第五態様又は第五態様における任意の選択可能な実現方式に提供されるような端末装置であり、前記アクセスネットワーク装置は上記第六態様又は第六態様における任意の選択可能な実現方式に提供されるようなアクセスネットワーク装置である。
【００３５】
本願実施例に提供される技術方案の有益な効果は、
短いＰＵＣＣＨを伝送するためのリソースを少なくとも２つのリソースセットに分割することによって、少なくとも２つのリソースセットにおける第一種類リソースセット及び／又は第二種類リソースセットを、アクセスネットワーク装置により端末装置へ設定し、端末装置はアクセスネットワーク装置の設定に基づいてアップリンク制御チャネルを送信し、短いＰＵＣＣＨにおけるＲＳオーバーヘッド及び構造をダイナミックに調整できるようにし、それによってより良いＰＵＣＣＨ復調性能を獲得する。
【図面の簡単な説明】
【００３６】
本願実施例における技術方案をより明確に説明するために、実施例の説明に使用必要な図面を以下簡単に説明する。明らかに、以下説明する図面は本願の一部実施例のみであり、当業者にとって、創造的な作業労力を払わない前提で、これらの図面に基づいて更に他の図面を取得することができる。
【００３７】
【図１】図１は本願の１つ模式的な実施例に提供される移動通信システムの構造模式図である。
【図２】図２は本願の１つ模式的な実施例に提供される、短いＰＵＣＣＨのためのリソースのセット分割の模式図である。
【図３】図３は本願の１つ模式的な実施例に提供されるアップリンク伝送方法の方法フローチャートである。
【図４】図４は本願のまた１つ模式的な実施例に提供されるアップリンク伝送方法の方法フローチャートである。
【図５】図５は本願のまた１つ模式的な実施例に提供されるアップリンク伝送方法の方法フローチャートである。
【図６】図６は本願の１つ模式的な実施例に提供される、短いＰＵＣＣＨのためのリソースのセット分割の模式図である。
【図７】図７は本願のまた１つ模式的な実施例に提供される、短いＰＵＣＣＨのためのリソースのセット分割の模式図である。
【図８】図８は本願のまた１つ模式的な実施例に提供される、短いＰＵＣＣＨのためのリソースのセット分割の模式図である。
【図９】図９は本願のまた１つ模式的な実施例に提供されるアップリンク伝送装置の構造ブロック図である。
【図１０】図１０は本願のまた１つ模式的な実施例に提供されるアップリンク伝送装置の構造ブロック図である。
【図１１】図１１は本願のまた１つ模式的な実施例に提供される端末装置の構造ブロック図である。
【図１２】図１２は本願のまた１つ模式的な実施例に提供されるアクセスネットワーク装置の構造ブロック図である。
【発明を実施するための形態】
【００３８】
本願の目的、技術方案及びそのメリットをよりはっきりさせるために、以下は図面を参照しながら、本願の実施形態をより詳しく説明する。
【００３９】
本明細書に言及される「モジュール」は、通常、メモリに記憶されている、ある機能を実現できるプログラムまたは命令を意味し、本明細書で言及されている「ユニット」は、通常、論理的に分割された機能的構造を意味し、該「ユニット」は、純粋なハードウェアによって実現されてもよく、または、ソフトウェアとハードウェアの組み合わせによって実現されてもよい。
【００４０】
本明細書に言及される「複数」は、２つ以上を意味する。「及び／又は」は、関連するオブジェクトの関連関係を記述し、３つの関係が存在し得ることを表し、例えば、Ａ及び／又はＢという場合、Ａが単独に存在する、ＡとＢが同時に存在する、Ｂが単独に存在する、という３つの状況を表すことができる。文字「／」は、一般的に前後の関連オブジェクトが「または」の関係であることを表す。
【００４１】
図１を参照し、図１は本願の１つの実施例に提供される移動通信システムの構造模式図を示す。該移動通信システムは５Ｇシステム（ＮＲシステムとも称される）であってもよい。該移動通信システムは、アクセスネットワーク装置１２０と端末１４０を含む。
【００４２】
アクセスネットワーク装置１２０は基地局であってもよい。例えば、基地局は、５Ｇシステムにおける、集中・分散型アーキテクチャが採用される基地局（ｇＮＢ）であってもよい。アクセスネットワーク装置１２０が集中・分散型アーキテクチャを採用する場合、通常、集中ユニット（ＣＵ、ｃｅｎｔｒａｌ  ｕｎｉｔ）と少なくとも２つの分散ユニット（ＤＵ、ｄｉｓｔｒｉｂｕｔｅｄ  ｕｎｉｔ）を含む。集中ユニットには、パケットデータ統合プロトコル（ＰＤＣＰ、Ｐａｃｋｅｔ  Ｄａｔａ  Ｃｏｎｖｅｒｇｅｎｃｅ  Ｐｒｏｔｏｃｏｌ）層、無線リンク層制御プロトコル（ＲＬＣ、Ｒａｄｉｏ  Ｌｉｎｋ  Ｃｏｎｔｒｏｌ）層、メディアアクセス制御（ＭＡＣ、Ｍｅｄｉａ  Ａｃｃｅｓｓ  Ｃｏｎｔｒｏｌ）層のプロトコルスタックが設けられ、分散ユニットには物理（ＰＨＹ、Ｐｈｙｓｉｃａｌ）層プロトコルスタックが設けられる。本願の実施例はアクセスネットワーク装置１２０の具体的な実現方式を限定しない。選択肢として、アクセスネットワーク装置は、ホーム基地局（ＨｅＮＢ、Ｈｏｍｅ  ｅＮＢ）、中継（Ｒｅｌａｙ）、ピコ基地局Ｐｉｃｏなどを更に含んでもよい。
【００４３】
アクセスネットワーク装置１２０と端末１４０は、無線エアインターフェイスを介して無線接続する。選択肢として、該無線エアインターフェイスは、第５世代の移動通信ネットワーク技術（５Ｇ）基準に基づく無線エアインターフェイスであり、例えば、該無線エアインターフェイスは新しいエアインターフェイス（ＮＲ、Ｎｅｗ  Ｒａｄｉｏ）であり、あるいは、該無線エアインターフェイスは、５Ｇよりも更に次の世代の移動通信ネットワーク技術基準に基づく無線エアインターフェイスであってもよい。
【００４４】
端末１４０はユーザに音声及び／又はデータ接続を提供する装置を意味してもよい。端末は無線アクセスネットワーク（ＲＡＮ、Ｒａｄｉｏ  Ａｃｃｅｓｓ  Ｎｅｔｗｏｒｋ）経由で１つ又は複数のコアネットワークと通信してもよい。端末１４０は、モバイル端末、例えば、携帯電話（「セルラー方式」電話とも称される）、及びモバイル端末を有するコンピュータ、例えば、ポータブル、ポケットサイズ、手持ち式、コンピュータに内蔵された又は車載のモバイル装置であってもよい。例えば、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、移動台（Ｍｏｂｉｌｅ）、遠隔局（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ装置（Ｕｓｅｒ  Ｔｅｒｍｉｎａｌ）、ユーザ代理（Ｕｓｅｒ  Ａｇｅｎｔ）、ユーザデバイス（Ｕｓｅｒ  Ｄｅｖｉｃｅ）、またはユーザ端末（Ｕｓｅｒ  Ｅｑｕｉｐｍｅｎｔ）。
【００４５】
尚、図１に示す移動通信システムは、複数のアクセスネットワーク装置１２０及び／又は複数の端末１４０を含んでもよく、図１には、例として、１つのアクセスネットワーク装置１２０及び１つの端末１４０が示されているが、本実施例はこれを限定しない。
【００４６】
５Ｇ  ＮＲにおいて、低遅延と高速フィードバックを必要とする新しい設計ニーズが現れている。例えば、１つのタイムスロットは、ダウンリンク部分とアップリンク部分とに分割され、ダウンリンク部分とアップリンク部分との間は、ガード間隔（ＧＰ、Ｇｕａｒｄ  Ｐｅｒｉｏｄ）によって仕切られてもよい。ここで、ダウンリンク部分は１つまたは複数のシンボルで構成され、タイムスロットの開始時には、ｇＮＢにより該ダウンリンク部分を介してＵＥにダウンリンクデータ及びシグナリングを送信し、ＵＥは、ガード間隔によってダウンリンクからアップリンクへの伝送ハンドオーバーを行い、その後、ＵＥはアップリンク部分において、アップリンク制御チャネル及びアップリンク共有チャネルの伝送を行う。アップリンク部分において、高速フィードバック（最終的には高速なターンアラウンドタイムにつながる）を実現するために、ＵＥに対して、現在のタイムスロットのダウンリンク部分に搬送されるＰＤＳＣＨに対してＡＣＫ／ＮＡＣＫ（および他の可能なＵＣＩ）をフィードバックすることを要求してもよく、その時、ＮＲに新しいＰＵＣＣＨが導入され、それがタイムスロットの末尾で送信される。該新しいＰＵＣＣＨがタイムスロットの最後の１つまたは幾つかのシンボルのみを占用するため、短い持続時間を有するＰＵＣＣＨ、または短いフォーマットのＰＵＣＣＨ、または短いＰＵＣＣＨと称することができる。アップリンク制御チャネルは、他の任意の可能な名称を有することが可能であり、本願の実施例は、アップリンク制御チャネルの可能な名称及び略語を限定しない。
【００４７】
短いＰＵＣＣＨは主にＡＣＫ  ／  ＮＡＣＫをフィードバックすることに用いられ、そして、ペイロードは１〜２ビット又はそれ以上のビットであってもよく、低いペイロード（１〜２ビット）から高いペイロード（＞  ２ビット）までの良好な拡張性の標準設計が望ましく、更に２つのシンボル（又は＞２シンボルも可能）を有する短いＰＵＣＣＨの設計が、１つのシンボルを有する短いＰＵＣＣＨの設計から拡張できるのも望ましい。考慮必要なファクターは、周波数ダイバーシティ、電力アップグレード、良好なＰＵＣＣＨ容量、ＲＳオーバーヘッドなどを含んでもよい。
【００４８】
それらの要求と期待を実現するために、短いＰＵＣＣＨのためのリソースエレメント（ＲＥ、Ｒｅｓｏｕｒｃｅ  Ｅｌｅｍｅｎｔ）は、いくつかのリソースセットに分割されてもよく、各リソースセットのＲＥは周波数において均一に分布し、各リソースセットのＲＥは他のリソースセットのＲＥとインターリーブされる。各リソースセットは、アップリンク参照信号（ＲＳ、Ｒｅｆｅｒｅｎｃｅ  Ｓｉｇｎａｌ）又はＵＣＩを送信することに用いられてもよい。
【００４９】
短いＰＵＣＣＨのためのＲＥは、通常、少なくとも１つの物理リソースブロック（ＰＲＢ、Ｐｈｙｓｉｃａｌ  Ｒｅｓｏｕｒｃｅ  Ｂｌｏｃｋ）の少なくとも１つのタイムスロット・ユニットに属する。例えば、１つのＰＲＢの１つのタイムスロット・シンボルにおける１２個のＲＥ、１つのＰＲＢの２つのタイムスロット・シンボルにおける２４個のＲＥ、２つのＰＲＢの１つのタイムスロット・シンボルにおける２４個のＲＥ、２つのＰＲＢの２つのタイムスロット・シンボルにおける４８個のＲＥ等々。短いＰＵＣＣＨのための時間周波数リソースは、少なくとも２つのリソースセットに分割されてもよい。
【００５０】
図２は、短いＰＵＣＣＨのための時間周波数リソースが１つのＰＲＢの１つのタイムスロット・シンボルにおける１２個のＲＥを含む例を示し、該１２個のＲＥは３つのリソースセットに分割され、各リソースセットのＲＥは周波数において均一に分布し、各リソースセットからのＲＥは他のリソースセットからのＲＥとインターリーブされる。その中、リソースセット１のＲＥはＲＳを搬送することに用いられてもよく、リソースセット２とリソースセット３のＲＥはＵＣＩを搬送することに用いられてもよい。ＲＳが周波数において均一に分布して良好なチャネル推定性能のために使用されるのが望ましいため、各リソースセットからのＲＥがインターリーブされる。
【００５１】
図３は、１つ例示的な実施例に提供されるアップリンク伝送方法の方法フローチャートを示す。本実施例は、該アップリンク伝送方法を図１に示す移動通信システムに適用するのを例にして説明し、端末装置はＵＥであってもよく、アクセスネットワーク装置はｇＮＢであってもよい。本実施例は短いＰＵＣＣＨの送信シーンに適用でき、該方法は、ステップ３０１〜ステップ３０７を含む。
ステップ３０１では、アクセスネットワーク装置は少なくとも２つのリソースセットを確定し、少なくとも２つのリソースセットの各リソースセット内のリソースエレメントにおいて、少なくとも２つのリソースエレメントはその周波数領域の位置が異なる。
アクセスネットワーク装置は事前に設定されたリソースセット分割方式に基づいて、短いＰＵＣＣＨのための時間周波数リソースを、少なくとも２つのリソースセットに分割する。各リソースセットはＲＳ又はＵＣＩを伝送することに用いられる。
各リソースセット内のＲＥにおいて、少なくとも２つのＲＥはその周波数領域の位置が異なる。選択肢として、１つのリソースセット内の一部ＲＥの周波数領域の位置は同じであり、他の一部ＲＥの周波数領域の位置は異なり、又は、１つのリソースセット内の、全てのＲＥの周波数領域の位置はいずれも異なる。１つのリソースセット内のＲＥをできるだけ離散分布させることで、該リソースセットがＲＳを伝送することに用いられる時に、より良いチャネル推定の利得を獲得できる。
ステップ３０２では、アクセスネットワーク装置は端末装置に設定シグナリングを送信し、該設定シグナリングは少なくとも２つのリソースセットにおいて第一種類リソースセットと第二種類リソースセットを設定することに用いられ、第一種類リソースセットはアップリンク制御チャネルにおけるアップリンク参照信号を伝送することに用いられ、第二種類リソースセットはアップリンク制御チャネルにおけるＵＣＩを伝送することに用いられる。
１つのリソースセットをＲＳ伝送に使用するか、それともＵＣＩ伝送に使用するかは、アクセスネットワーク装置によってダイナミックに設定される。例えば、図２におけるリソースセット１はＲＳ伝送に使用し、リソースセット２とリソースセット３はＵＣＩ伝送に使用し、また例えば、図２におけるリソースセット１とリソースセット２はＲＳ伝送に使用し、リソースセット３はＵＣＩ伝送に使用する。
端末装置の実際のアップリンク送信シーンに合わせて、アクセスネットワーク装置は、端末装置のために設定シグナリングを生成する。該設定シグナリングは、短いＰＵＣＣＨのための、少なくとも２つのリソースセットにおいて、第一種類リソースセットと第二種類リソースセットを設定することに用いられる。第一種類リソースセットは、短いＰＵＣＣＨにおけるＲＳを伝送することに用いられ、第二種類リソースセットは、短いＰＵＣＣＨにおけるＵＣＩを伝送することに用いられる。第一種類リソースセットは１つ又は複数のリソースセットを含み、第二種類リソースセットは１つ又は複数のリソースセットを含む。ＲＳ送信不要なシーンにおいては、第二種類リソースセットはゼロであってもよい。
該設定シグナリングの具体的な設定方式は以下３種類の設定方式のいずれか１つを採用してもよい。
第一の設定方式では、該設定シグナリングは第一種類リソースセットを明示的に設定し、第二種類リソースセットが第一種類リソースセット以外の他のリソースセットであることを暗黙に指示することに用いられ、例えば図２で、アクセスネットワーク装置は設定シグナリングにおいて、リソースセット１が第一種類リソースセットであることを明示的に指示し、そうすると、端末は設定シグナリングに基づいて、リソースセット１が第一種類リソースセットであると確定すると、リソースセット２とリソースセット３が第二種類リソースセットであると確定する。
第二の設定方式では、該設定シグナリングは第二種類リソースセットを明示的に設定し、第一種類リソースセットが第二種類リソースセット以外の他のリソースセットであることを暗黙に指示することに用いられ、例えば図２で、アクセスネットワーク装置は設定シグナリングにおいて、リソースセット２が第二種類リソースセットであることを明示的に指示し、そうすると、端末は設定シグナリングに基づいて、リソースセット２が第二種類リソースセットであると確定すると、第二種類リソースセット以外の他のリソースセットが第一種類リソースセットであると確定し、即ち、リソースセット１とリソースセット３が第一種類リソースセットであると確定する。
第三の設定方式では、該設定シグナリングは第一種類リソースセットと第二種類リソースセットを明示的に設定することに用いられ、例えば図２で、アクセスネットワーク装置は設定シグナリングにおいて、リソースセット２と３が第一種類リソースセットであり、リソースセット１が第二種類リソースセットであることを明示的に指示し、そうすると、端末は設定シグナリングに基づいて、リソースセット２と３が第一種類リソースセットであり、リソースセット１が第二種類リソースセットであると確定する。
好ましくは、第二の設定シグナリングを採用し、即ち、該設定シグナリングは第二種類リソースセットを明示的に設定し、第一種類リソースセットが第二種類リソースセット以外の他のリソースセットであることを暗黙に指示することに用いられる。
選択肢として、該設定シグナリングは高層シグナリング又はダウンリンク制御シグナリング（ＤＣＩ、Ｄｏｗｎｌｉｎｋ  Ｃｏｎｔｒｏｌ  Ｉｎｆｏｒｍａｔｉｏｎ）に含まれて送信され、例えば、高層シグナリングは無線リソース制御（ＲＲＣ、Ｒａｄｉｏ  Ｒｅｓｏｕｒｃｅ  Ｃｏｎｔｒｏｌ）再構成シグナリングであってもよい。該設定シグナリングは、半静的に設定又はダイナミックに通知されてもよい。
ステップ３０３では、端末装置は少なくとも２つのリソースセットを確定し、少なくとも２つのリソースセットの各リソースセット内のリソースエレメントにおいて、少なくとも２つのリソースエレメントはその周波数領域の位置が異なる。
選択肢として、端末装置はアクセスネットワーク装置と同じリソースセット分割方式に基づいて、短いＰＵＣＣＨのための時間周波数リソースを、少なくとも２つのリソースセットに分割する。各リソースセットはＲＳ又はＵＣＩを伝送することに用いられる。
ステップ３０３はステップ３０２の前に、又はステップ３０２と同時に、又はステップ３０２の後に実行されてもよく、又はステップ３０４の後に実行されてもよく、本実施例はこれを限定しない。
ステップ３０４では、端末装置はアクセスネットワーク装置から送信された設定シグナリングを受信する。
ステップ３０５では、端末装置は設定シグナリングに基づいて、少なくとも２つのリソースセットから第一種類リソースセットと第二種類リソースセットを確定する。
第一種類リソースセットはアップリンク制御チャネルにおけるアップリンク制御情報を伝送することに用いられ、第二種類リソースセットはアップリンク制御チャネルにおけるアップリンク参照信号を伝送することに用いられる。
ステップ３０６では、端末装置はアップリンク制御チャネルを送信する。
端末装置は設定シグナリングに基づいて、第一種類リソースセットのリソースエレメントにおいてアップリンク制御情報、例えば、ＡＣＫ／ＮＡＣＫを送信し、第二種類リソースセットのリソースエレメントにおいてアップリンク参照信号、例えば、復調参照信号（ＤＭ−ＲＳ、Ｄｅｍｏｄｕｌａｔｉｏｎ  Ｒｅｆｅｒｅｎｃｅ  Ｓｉｇｎａｌ）を送信する。
ステップ３０７では、アクセスネットワーク装置は端末装置のアップリンク制御チャネルを受信する。
アクセスネットワーク装置は設定シグナリングに基づいて、第一種類リソースセットのリソースエレメントにおいてアップリンク制御情報、例えば、ＡＣＫ／ＮＡＣＫを受信し、第二種類リソースセットのリソースエレメントにおいてアップリンク参照信号、例えば、ＤＭ−ＲＳを受信する。
【００５２】
上記のように、本実施例の提供するアップリンク伝送方法は、短いＰＵＣＣＨを伝送するためのリソースを少なくとも２つのリソースセットに分割することによって、少なくとも２つのリソースセットにおける第一種類リソースセットと第二種類リソースセットを、アクセスネットワーク装置により端末装置へ設定し、端末はアクセスネットワーク装置による設定に基づいてアップリンク制御チャネルを送信し、短いＰＵＣＣＨにおけるＲＳオーバーヘッド及び構造をダイナミックに調整できるようにし、それによってより良いＰＵＣＣＨ復調性能を獲得する。
【００５３】
図３に基づく選択可能な実施例の中の一部、ＲＳ送信不要なシーンでは、少なくとも２つのリソースセットは全部第一種類リソースセットになるように設定されてもよく、その時は、図４のように、上記設定シグナリングは少なくとも２つのリソースセットにおいて第一種類リソースセットを設定することにのみ用いられ、ステップ３０２はステップ３０２ａに、ステップ３０５はステップ３０５ａに替えて実現されてもよい。
【００５４】
図３に基づく選択可能な実施例で、短いＰＵＣＣＨのための時間周波数リソースを少なくとも２つのリソースセットに分割するセット分割方式は、通信プロトコルによって事前定義（ＰＲＥ−ｄｅｔｅｒｍｉｎｅｄ）されたものであってもよく、アクセスネットワーク装置により端末装置へ事前設定（ＰＲＥ−ｃｏｎｆｉｇｕｒｅｄ）されたものであってもよい。
【００５５】
セット分割方式が事前定義されたものである場合、ステップ３０１とステップ３０３において、アクセスネットワーク装置と端末はそれぞれ事前定義のセット分割方式に基づいて、短いＰＵＣＣＨのための時間周波数リソースを分割し、セット分割方式が事前設定されたものである場合は、上記のステップ３０３はステップ３０３ａ〜ステップ３０３ｃに替えて実現されてもよく、図５が示すように、
ステップ３０３ａでは、アクセスネットワーク装置は端末装置にセット分割パラメータを送信し、
該セット分割パラメータは、リソースセットの数、各タイムスロット・ユニットにおけるリソースセットの数、各ＰＲＢにおけるリソースセットの数、各リソースセットにおけるＲＥの数のうちの、少なくとも一種類を含む。
【００５６】
ステップ３０３ｂでは、端末装置はアクセスネットワーク装置から送信されたセット分割パラメータを受信する。
【００５７】
ステップ３０３ｃでは、端末装置はセット分割パラメータに基づいて、アップリンク制御チャネルのための時間周波数リソースを、少なくとも２つのリソースセットに分割する。
【００５８】
アップリンク制御チャネルのための時間周波数リソースは、少なくとも１つのリソースブロックにおける少なくとも１つの時間領域ユニットを含んでもよく、該少なくとも１つの時間領域ユニットは１つ又は２つの時間領域シンボルである。
【００５９】
実施例によって、セット分割方式は以下３種類を含むが、それには限らない。
【００６０】
セット分割方式１では、リソースブロックはＴ個であり、時間領域ユニットはＮ個であり、少なくとも２つのリソースセットはＰ＝Ｎ＊Ａ個であり、各時間領域ユニットのリソースエレメントはＡ個のリソースセットに分割され、Ｐ、Ｎ、Ａはいずれも正整数である。
【００６１】
模式的に、Ｔ＝２、Ｎ＝２と仮定し、図６を参照して、短いＰＵＣＣＨのための時間周波数リソースは、２個のＰＲＢの２個の時間領域シンボルの４８個のＲＥを含む。各時間領域シンボルにおける１２個のＲＥを２つのリソースセットに分割して、合わせて、Ｐ＝Ｎ＊Ａ＝２＊２＝４個のリソースセットを得る。即ち、一番目の時間領域シンボルにおける、番号が１、３、５、７、９、１１、１３、１５、１７、１９、２１、２３の合わせて１２個のＲＥはリソースセットａに分割され、一番目の時間領域シンボルにおける、番号が２、４、６、８、１０、１２、１４、１６、１８、２０、２２、２４の合わせて１２個のＲＥはリソースセットｂに分割され、二番目の時間領域シンボルにおける、番号が１、３、５、７、９、１１、１３、１５、１７、１９、２１、２３の合わせて１２個のＲＥはリソースセットｃに分割され、二番目の時間領域シンボルにおける、番号が２、４、６、８、１０、１２、１４、１６、１８、２０、２２、２４の合わせて１２個のＲＥはリソースセットｄに分割される。
【００６２】
一番目の時間領域シンボルは、図中の、隣接する２つのシンボルの中の、左側に位置するシンボルを指し、二番目の時間領域シンボルは、図中の、隣接する２つのシンボルの中の、右側に位置するシンボルを指す。ＲＥの番号は上から下への順序の番号を指す。
【００６３】
セット分割方式２では、リソースブロックはＴ個であり、時間領域ユニットはＮ個であり、少なくとも２つのリソースセットはＰ＝Ｎ＊Ｔ＊Ｂ個であり、各リソースブロックの各時間領域ユニットのリソースエレメントはＢ個のリソースセットに分割され、Ｐ、Ｎ、Ｂはいずれも正整数である。
【００６４】
模式的に、Ｔ＝２、Ｎ＝２と仮定し、図７を参照して、短いＰＵＣＣＨのための時間周波数リソースは、２個のＰＲＢの２個の時間領域シンボルの４８個のＲＥを含む。各ＰＲＢの各時間領域シンボルにおける１２個のＲＥを２つのリソースセットに分割して、合わせて、Ｐ＝Ｔ＊Ｎ＊Ｂ＝２＊２＊２＝８個のリソースセットを得る。即ち、一番目ＰＲＢの一番目時間領域シンボルにおける、番号が１、３、５、７、９、１１の合わせて６個のＲＥはリソースセットａに分割され、一番目ＰＲＢの一番目時間領域シンボルにおける、番号が１３、１５、１７、１９、２１、２３の合わせて６個のＲＥはリソースセットｂに分割され、一番目ＰＲＢの二番目時間領域シンボルにおける、番号が１、３、５、７、９、１１の合わせて６個のＲＥはリソースセットｃに分割され、一番目ＰＲＢの一番目時間領域シンボルにおける、番号が１３、１５、１７、１９、２１、２３の合わせて６個のＲＥはリソースセットｄに分割され、二番目ＰＲＢの一番目時間領域シンボルにおける、番号が１、３、５、７、９、１１の合わせて６個のＲＥはリソースセットｅに分割され、二番目ＰＲＢの一番目時間領域シンボルにおける、番号が１３、１５、１７、１９、２１、２３の合わせて６個のＲＥはリソースセットｆに分割され、二番目ＰＲＢの二番目時間領域シンボルにおける、番号が１、３、５、７、９、１１の合わせて６個のＲＥはリソースセットｇに分割され、二番目ＰＲＢの一番目時間領域シンボルにおける、番号が１３、１５、１７、１９、２１、２３の合わせて６個のＲＥはリソースセットｈに分割される。
【００６５】
セット分割方式３では、少なくとも１つのリソースブロックは、対象リソースブロックとＴ−１個のその他のリソースブロック（合わせてＴ個）を含み、時間領域ユニットはＮ個であり、少なくとも２つのリソースセットはＰ＝Ｎ＊Ｃ個であり、対象リソースブロックのＮ個時間領域ユニットのリソースエレメントはＣ個のリソースセットに分割され、且つ、その他のリソースブロックにおけるセット分割方式は、対象リソースブロックと同じである。
【００６６】
模式的に、Ｔ＝２、Ｎ＝２と仮定し、図８を参照して、短いＰＵＣＣＨのための時間周波数リソースは、２個のＰＲＢの２個の時間領域シンボルの４８個のＲＥを含む。一番目のＰＲＢの各時間領域シンボルにおける１２個のＲＥを３つのリソースセットに分割し、二番目のＰＲＢに一番目のＰＲＢと同じセット分割方式を採用して、合わせて、Ｐ＝Ｔ＊Ｎ＊Ｃ＝２＊３＝６個のリソースセットを得る。即ち、一番目ＰＲＢの一番目時間領域シンボルにおける、番号が１、４、７、１０の合わせて４個のＲＥはリソースセットａに分割され、一番目ＰＲＢの一番目時間領域シンボルにおける、番号が２、５、８、１１の合わせて４個のＲＥはリソースセットｂに分割され、一番目ＰＲＢの一番目時間領域シンボルにおける、番号が３、６、９、１２の合わせて４個のＲＥはリソースセットｃに分割され、一番目ＰＲＢの二番目時間領域シンボルにおける、番号が１、４、７、１０の合わせて４個のＲＥはリソースセットｄに分割され、一番目ＰＲＢの二番目時間領域シンボルにおける、番号が２、５、８、１１の合わせて４個のＲＥはリソースセットｅに分割され、一番目ＰＲＢの二番目時間領域シンボルにおける、番号が３、６、９、１２の合わせて４個のＲＥはリソースセットｆに分割される。
【００６７】
上記３種類のセット分割方式においてセット分割パラメータは、各ＰＲＢにおけるリソースセット数、各時間領域シンボルにおけるリソースセット数、各ＰＲＢの各時間領域シンボルにおけるリソースセット数、セット分割の種類（上記三種類の分割方式の中の一種類）、リソースブロック位置、の内の少なくとも一種類を含む。
【００６８】
選択肢として、各リソースセットにおけるＲＥの分布は以下特徴の少なくとも１つを満たす。
【００６９】
１、少なくとも２つのリソースセットの各リソースセットに含まれるリソースエレメント数は同じである。例えば、図６の各リソースセットは１２個のＲＥを含み、図７の各リソースセットは６個のＲＥを含み、図８の各リソースセットは８個のＲＥを含む。
【００７０】
２、少なくとも２つのリソースセットの各リソースセット内のリソースエレメントは、時間領域において、一つの時間領域ユニットに属する。例えば、図６のリソースセットａ内のリソースエレメントは一番目時間領域シンボルに属し、図６のリソースセットｂ内のリソースエレメントは一番目時間領域シンボルに属し、図６のリソースセットｃ内のリソースエレメントは二番目時間領域シンボルに属し、図６のリソースセットｄ内のリソースエレメントは二番目時間領域シンボルに属する。
【００７１】
３、少なくとも２つのリソースセットの各リソースセット内のリソースエレメントは、周波数領域において、一つのリソースブロックに属する。例えば、図７の各リソースセット内のＲＥは、周波数領域において、同じＰＲＢに属する。
【００７２】
４、少なくとも２つのリソースセットの各リソースセット内のリソースエレメントは、周波数領域において複数のリソースブロックに属し、アップリンク制御チャネルは複数のリソースブロックを介して伝送を行う。本願において、「複数」は少なくとも２つを意味する。
【００７３】
例えば、図６と図８の各リソースセット内のＲＥは、周波数領域において、２つのＰＲＢに属する。
【００７４】
５、少なくとも２つのリソースセットの各リソースセット内の、一つの時間領域ユニットに属するリソースエレメントは、周波数領域において、等間隔分布する。
【００７５】
例えば、図６と図７の各リソースセット内の、一つの時間領域ユニットに属するリソースエレメントは、周波数領域において、等間隔（間隔は１である）に分布する。図８の各リソースセット内の、一つの時間領域ユニットに属するリソースエレメントは、周波数領域において、等間隔（間隔は２である）に分布する。
【００７６】
選択肢として、各リソースセットは、それに対応するセット索引を有する。リソースセット索引を作る方式は、以下４種類のいずれか１つを含む。
【００７７】
第一種類では、少なくとも２つのリソースセットは、まず周波数領域それから時間領域の順序で索引を行い、図７を例として、そのリソースセット索引の順序は、{セットａ、セットｂ、セットｅ、セットｆ、セットｃ、セットｄ、セットｇ、セットｈ}である。
【００７８】
第二種類では、少なくとも２つのリソースセットは、まず時間領域それから周波数領域の順序で索引を行い、図７を例として、そのリソースセット索引の順序は、{セットａ、セットｃ、セットｂ、セットｄ、セットｅ、セットｇ、セットｆ、セットｈ}である。
【００７９】
第三種類では、少なくとも２つのリソースセットは、各リソースブロックにおいて、まず周波数領域それから時間領域の順序で索引を行い、更にリソースブロック間の昇順または降順で索引を行い、例えば、図７で下への順序はＰＲＢ昇順方向とし、そのリソースセット索引の順序は、{セットａ、セットｂ、セットｃ、セットｄ、セットｅ、セットｆ、セットｇ、セットｈ}である。
【００８０】
第四種類では、少なくとも２つのリソースセットは、各リソースブロックにおいて、まず時間領域それから周波数領域の順序で索引を行い、更にリソースブロック間の昇順または降順で索引を行い、例えば、図７で下への順序はＰＲＢ昇順方向とし、そのリソースセット索引の順序は、{セットａ、セットｃ、セットｂ、セットｄ、セットｅ、セットｇ、セットｆ、セットｈ}である。
【００８１】
上記各方法の実施例において、ｇＮＢがＵＥに設定シグナリングを送信する時は、設定シグナリングには、第一種類リソースセットのセット索引、又は、第一種類リソースセットと第二種類リソースセットのセット索引、又は、第二種類リソースセットのリセット索引が含められる。
【００８２】
上記各方法の実施例において、端末装置がアップリンク制御チャネルにおいて送信するアップリンク参照信号は、復調参照信号（ＤＭ−ＲＳ、Ｄｅｍｏｄｕｌａｔｉｏｎ  Ｒｅｆｅｒｅｎｃｅ  Ｓｉｇｎａｌ）と測定参照信号（ＳＲＳ、Ｓｏｕｎｄｉｎｇ  Ｒｅｆｅｒｅｎｃｅ  Ｓｉｇｎａｌ）を含み、ＤＭ−ＲＳは、基地局がアップリンク物理チャネル（ＰＵＳＣＨとＰＵＣＣＨ）に対してコヒーレント復調を行う際のチャネル推定に用いられるもので、従って、ＤＭ−ＲＳはＰＵＣＣＨと一緒に送信される。ＳＲＳは、基地局が異なる周波数のアップリンクチャネル状態を推定することに用いる。
【００８３】
端末装置が第二種類リソースセット内のＲＥにおいてアップリンク参照信号を送信する時、１つ又は複数のアップリンク参照信号を送信されてもよく、各アップリンク参照信号は１つ又は複数の第二種類リソースセットを採用して送信される。アップリンク参照信号に採用される参照信号シーケンスの長さＱは以下２つ形式のいずれか１つを採用してもよい。
【００８４】
第一の形式では、アップリンク参照信号に採用される参照信号シーケンスの長さＱは、アップリンク参照信号に対応する１つ（または単一）の第二種類リソースセットにおけるＲＥ数に相等する。例えば、図６に示すリソースセットａにおいてＲＳを送信する場合、参照信号シーケンスの長さＱ＝リソースセットａにおけるＲＥ数＝１２である。
【００８５】
第二の形式では、アップリンク参照信号に採用される参照信号シーケンスの長さＱは、アップリンク参照信号に対応する１つ（または単一）の第二種類リソースセットの、単一リソースブロックにおけるリソースエレメント数に相等する。例えば、図７に示すリソースセットａにおいてＲＳを送信する場合、参照信号シーケンスの長さＱ＝リソースセットａにおけるＲＥ数＝６である。
【００８６】
選択肢として、上記の参照信号シーケンスは、Ｚａｄｏｆｆ−Ｃｈｕシーケンスである。同じ１つのアップリンク参照信号は通常、１つの第二種類リソースセット内のＲＥにおいて伝送されるが、端末で複数のアップリンク参照信号を伝送する場合、異なるアップリンク参照信号は同じ１つの第二種類リソースセット内のＲＥを使用して伝送されてもよい。即ち、異なるアップリンク参照信号の対応する第二種類リソースセットは同じ一つのリソースセットであってもよく、異なるリソースセットであってもよい。
【００８７】
上記各方法の実施例において、端末装置がアップリンク制御チャネルにおいて送信するＵＣＩは、ＰＤＳＣＨをフィードバックするためのＡＣＫ／ＮＡＣＫ、チャネル状態情報（ＣＳＩ、Ｃｈａｎｎｅｌ−Ｓｌａｔｅ  Ｉｎｆｏｒｍａｔｉｏｎ）、スケジューリング要求（ＳＲ、Ｓｃｈｅｄｕｌｉｎｇ  Ｒｅｑｕｅｓｔ）の中の少なくとも１種類を含む。
【００８８】
端末装置が第一種類リソースセット内のＲＥにおいてアップリンク制御信号を送信する場合、該端末装置はＵＣＩを変調して、少なくとも１つの送信対象のＵＣＩ変調シンボルを得て、各第一種類リソースセットは、それぞれ１つのＵＣＩ変調シンボルを伝送することに用いられる。端末装置が１つのＵＣＩ変調シンボルを拡散シーケンスによって拡散した後、対応する第一種類リソースセット内の全てのＲＥにおいて伝送する。
【００８９】
選択肢として、拡散シーケンスの長さは、該ＵＣＩ変調シンボルに対応する第一種類リソースセット内のＲＥ数に相等する。例えば、図７における各リソースセットは、６個のＲＥを含み、リソースセットａを使用して１つのＵＣＩ変調シンボルを伝送する場合、該ＵＣＩ変調シンボルを長さ６の拡散シーケンスで拡散し、それからリソースセットａにおける６個のＲＥにマッピングして伝送する。
【００９０】
上記のように、ｇＮＢがＵＥのチャネル状況及び送信対象データの量などの要素に基づいて、ＵＣＩを伝送するための第一種類リソースセットとＲＳを伝送するための第二種類リソースセットを、ＵＥにダイナミックに設定できるため、短いＰＵＣＣＨのリソース設定のダイナミック設定が実現でき、それによって、比較的に良いＲＳオーバーヘッド、及び比較的に良い若しくは最良なＰＵＣＣＨ復調性能を獲得する。
【００９１】
以下は本願実施例の装置実施例であり、装置実施例において詳細に説明されない部分については、上記の方法実施例において開示された技術の詳細内容を参照できる。
【００９２】
図９を参照する。図９は本願の１つの実施例に提供されるアップリンクデータ装置の構造模式図を示す。該アップリンクデータ装置は、ソフトウェア、ハードウェア、及びその両者の組み合わせによって実現され、端末装置の全部又は一部となってもよい。該アップリンクデータ装置は、確定ユニット９０１、受信ユニット９０２、及び送信ユニット９０３を含む。
【００９３】
確定ユニット９０１は、上記のステップ３０３、ステップ３０３ｃ、ステップ３０５ａ、及びその他の明示される又は暗黙に含まれる確定ステップの機能の少なくとも１つを実行することに用いられる。
【００９４】
受信ユニット９０２は、上記のステップ３０４、ステップ３０３ｂ、及びその他の明示される又は暗黙に含まれる受信ステップの機能の少なくとも１つを実行することに用いられる。
【００９５】
送信ユニット９０３は、上記のステップ３０６、及びその他の明示される又は暗黙に含まれる送信ステップの機能の少なくとも１つを実行することに用いられる。
【００９６】
図１０を参照する。図１０は本願の１つの実施例に提供されるアップリンクデータ装置の構造模式図を示す。該アップリンクデータ装置は、ソフトウェア、ハードウェア、及びその両者の組み合わせによって実現され、受信端末の全部又は一部となってもよい。該アップリンクデータ装置は、確定ユニット１００１、送信ユニット１００２、及び受信ユニット１００３を含む。
【００９７】
確定ユニット１００１は、上記のステップ３０１、ステップ３０３ｃ、及びその他の明示される又は暗黙に含まれる確定ステップの機能の少なくとも１つのを実行することに用いられる。
【００９８】
送信ユニット１００２は、上記のステップ３０２、ステップ３０２ａ、ステップ３０３ａ、及びその他の明示される又は暗黙に含まれる受信ステップの送信機能の少なくとも１つを実行することに用いられる。
【００９９】
受信ユニット１００３は、上記のステップ３０７、及びその他の明示される又は暗黙に含まれる受信ステップの機能の少なくとも１つを実行することに用いられる。
【０１００】
図１１を参照する。図１１は本願の１つ例示的な実施例に提供される端末装置の構造模式図を示す。該受信端末は、プロセッサ１１、受信機１２、送信機１３、メモリ１４、及びバス１５を含む。
【０１０１】
プロセッサ１１は１つ又は１つ以上の処理コアを含み、プロセッサ１１はソフトウェアのプログラム及びモジュールを実行することにより、様々な機能のアプリケーション及び情報処理を実行する。
【０１０２】
受信機１２と送信機１３は１つの通信コンポーネントに実装されてもよく、該コンポーネントは１つの通信チップであってもよく、該通信チップは、情報を変調及び／又は復調しそして無線信号によって該情報を受信または送信するための、受信モジュール、送信モジュール、変調復調モジュール等を含んでもよい。
【０１０３】
メモリ１４は、バス１５を介してプロセッサ１１に接続する。
【０１０４】
メモリ１４は、ソフトウェアのプログラム及びモジュールを記憶することに用いられてもよい。
【０１０５】
メモリ１４は、少なくとも１つの機能のアプリケーションモジュール１６を記憶することができる。アプリケーションモジュール１６は、確定モジュール１６１、受信ユニット１６２、送信モジュール１６３を含んでもよい。
【０１０６】
プロセッサ１１は、確定モジュール１６１を実行して、上記各方法実施例における、確定ステップに関する機能を実現することに用いられ、プロセッサ１１は、送信モジュール１６２を実行して、上記各方法実施例における、送信ステップに関する機能を実現することに用いられ、プロセッサ１２は、受信モジュール１６３を実行して、上記各方法実施例における、受信ステップに関する機能を実現することに用いられる。
【０１０７】
尚、メモリ１４は、任意のタイプの揮発性または不揮発性記憶装置、例えば、静的随時アクセスメモリ（ＳＲＡＭ）、電気的消去可能プログラマブル読取り専用メモリ（ＥＥＰＲＯＭ）、消去可能プログラマブル読取り専用メモリ（ＥＰＲＯＭ）、プログラマブル読取り専用メモリ（ＰＲＯＭ）、読取り専用メモリ（ＲＯＭ）、磁気メモリ、フラッシュメモリ、磁気ディスクまたは光ディスク、又はそれらの組合せによって、実装されてもよい。
【０１０８】
図１２を参照する。図１２は本願の１つ例示的な実施例に提供されるアクセスネットワーク装置の構造模式図を示す。該アクセスネットワーク装置は、プロセッサ２１、受信機２２、送信機２３、メモリ２４、及びバス２５を含む。
【０１０９】
プロセッサ２１は１つ又は１つ以上の処理コアを含み、ソフトウェアのプログラム及びモジュールを実行することにより、様々な機能のアプリケーション及び情報処理を実行する。
【０１１０】
受信機２２と送信機２３は１つの通信コンポーネントに実装されてもよく、該コンポーネントは１つの通信チップであってもよく、該通信チップは、情報を変調・復調しそして無線信号によって該情報を受信または送信するための、受信モジュール、送信モジュール、変調・復調モジュール等を含んでもよい。
【０１１１】
メモリ２４は、バス２５を介してプロセッサ２１に接続する。
【０１１２】
メモリ２４は、ソフトウェアのプログラム及びモジュールを記憶することに用いられてもよい。
【０１１３】
メモリ２４は、少なくとも１つの機能のアプリケーションモジュール２６を記憶することができる。アプリケーションモジュール２６は、確定モジュール２６１、送信モジュール２６２、受信モジュール２６３を含んでもよい。
【０１１４】
プロセッサ２１は、受信モジュール２６３を実行して、上記各方法実施例における、受信ステップに関する機能を実現することに用いられ、プロセッサ２１は、確定モジュール２６１を実行して、上記各方法実施例における、確定ステップに関する機能を実現することに用いられ、プロセッサ２１は、送信モジュール２６２を実行して、上記各方法実施例における、送信ステップに関する機能を実現することに用いられる。
【０１１５】
尚、メモリ２４は、任意のタイプの揮発性または不揮発性記憶装置、例えば、静的随時アクセスメモリ（ＳＲＡＭ）、電気的消去可能プログラマブル読取り専用メモリ（ＥＥＰＲＯＭ）、消去可能プログラマブル読取り専用メモリ（ＥＰＲＯＭ）、プログラマブル読取り専用メモリ（ＰＲＯＭ）、読取り専用メモリ（ＲＯＭ）、磁気メモリ、フラッシュメモリ、磁気ディスクまたは光ディスク、又はそれらの組合せによって、実装されてもよい。
【０１１６】
本願の実施例は更にアップリンクデータのシステムを提供し、該アップリンクデータのシステムは端末装置とアクセスネットワーク装置を含んでもよい。
【０１１７】
端末装置は上記図９に提供されたアップリンクデータ装置を含んでもよく、アクセスネットワーク装置は上記図１０に提供されたアップリンクデータ装置を含んでもよい。
【０１１８】
または、端末装置は上記図１１に提供されたアクセスネットワーク装置であってもよく、アクセスネットワーク装置は上記図１２に提供された端末装置であってもよい。
【０１１９】
当業者が認識できるのは、上記１つ又は複数の示された例において、本願実施例の説明した機能は、ハードウェア、ソフトウェア、ファームウェア、又はそれらの任意の組み合わせで実現されてもよいことである。ソフトウェアを使用して実現される場合、それらの機能はコンピュータ可読媒体に記憶されてもよく、またはコンピュータ可読媒体における１つまたは複数の命令又はコードとして伝送されてもよい。コンピュータ可読媒体は、コンピュータ記憶媒体及び通信媒体を含み、そのうちの通信媒体は、コンピュータプログラムを１つの場所から別の場所に伝送するのに便利な、任意の媒体を含む。記憶媒体は、汎用または専用のコンピュータがアクセスできる、任意の利用可能な媒体であってもよい。
【０１２０】
以上は本願の比較的に良い実施例に過ぎず、本願を制限するためのものではない。本願の精神及び原則内において行われた如何なる修正、同等な代替、改善等は、いずれも本願の保護を求める範囲に含まれるべきである。
【図１】
2020515142.tif 000003
【図２】
2020515142.tif 000004
【図３】
2020515142.tif 000005
【図４】
2020515142.tif 000006
【図５】
2020515142.tif 000007
【図６】
2020515142.tif 000008
【図７】
2020515142.tif 000009
【図８】
2020515142.tif 000010
【図９】
2020515142.tif 000011
【図１０】
2020515142.tif 000012
【図１１】
2020515142.tif 000013
【図１２】
2020515142.tif 000014
【手続補正書】
【提出日】令和2年3月6日(2020.3.6)
【手続補正１】
【補正対象書類名】明細書
【補正対象項目名】００１６
【補正方法】変更
【補正の内容】
【００１６】
本願実施例の第二態様はアップリンク伝送方法を提供し、前記方法は、
アクセスネットワーク装置が少なくとも２つのリソースセットを確定し、前記少なくとも２つのリソースセットの各リソースセット内のリソースエレメントにおいて、少なくとも２つのリソースエレメントはその周波数領域の位置が異なることと、
前記アクセスネットワーク装置が端末装置に設定シグナリングを送信し、前記設定シグナリングは前記少なくとも２つのリソースセットにおいて第一種類リソースセットを設定することに用いられ、前記第一種類リソースセットはアップリンク制御チャネルにおけるアップリンク制御情報を伝送することに用いられることと、
前記アクセスネットワーク装置が前記アップリンク制御チャネルを受信することと、を含む。
【手続補正２】
【補正対象書類名】明細書
【補正対象項目名】００１７
【補正方法】変更
【補正の内容】
【００１７】
１つの選択可能な実現方式において、前記設定シグナリングは更に前記少なくとも２つのリソースセットにおいて第二種類リソースセットを設定することに用いられ、前記第二種類リソースセットは前記アップリンク制御チャネルにおけるアップリンク参照信号を伝送することに用いられる。
【手続補正３】
【補正対象書類名】明細書
【補正対象項目名】００２８
【補正方法】変更
【補正の内容】
【００２８】
本願実施例の第四態様はアップリンク伝送装置を提供し、前記アップリンク伝送装置は少なくとも１つのユニットを含み、該少なくとも１つのユニットは前記第二態様又は第二態様における任意の選択可能な実現方式に提供されるアップリンク伝送方法を実現することに用いられる。
【手続補正４】
【補正対象書類名】明細書
【補正対象項目名】００２９
【補正方法】変更
【補正の内容】
【００２９】
本願実施例の第五態様は端末装置を提供し、前記端末装置はプロセッサ、メモリ、送信機及び受信機を含み、前記メモリは１つ又は１つ以上の命令を記憶することに用いられ、前記命令は前記プロセッサによって実行されるように指示され、前記プロセッサは上記第一態様または第一態様における任意の選択可能な実現方式に提供されるアップリンク伝送方法を実現することに用いられる。
【手続補正５】
【補正対象書類名】明細書
【補正対象項目名】００３０
【補正方法】変更
【補正の内容】
【００３０】
本願実施例の第六態様はアクセスネットワーク装置を提供し、前記アクセスネットワーク装置はプロセッサ、メモリ、送信機及び受信機を含み、前記メモリは１つ又は１つ以上の命令を記憶することに用いられ、前記命令は前記プロセッサによって実行されるように指示され、前記プロセッサは上記第二態様または第二態様における任意の選択可能な実現方式に提供されるアップリンク伝送方法を実現することに用いられる。
【手続補正６】
【補正対象書類名】明細書
【補正対象項目名】００５１
【補正方法】変更
【補正の内容】
【００５１】
図３は、１つ例示的な実施例に提供されるアップリンク伝送方法の方法フローチャートを示す。本実施例は、該アップリンク伝送方法を図１に示す移動通信システムに適用するのを例にして説明し、端末装置はＵＥであってもよく、アクセスネットワーク装置はｇＮＢであってもよい。本実施例は短いＰＵＣＣＨの送信シーンに適用でき、該方法は、ステップ３０１〜ステップ３０７を含む。
ステップ３０１では、アクセスネットワーク装置は少なくとも２つのリソースセットを確定し、少なくとも２つのリソースセットの各リソースセット内のリソースエレメントにおいて、少なくとも２つのリソースエレメントはその周波数領域の位置が異なる。
アクセスネットワーク装置は事前に設定されたリソースセット分割方式に基づいて、短いＰＵＣＣＨのための時間周波数リソースを、少なくとも２つのリソースセットに分割する。各リソースセットはＲＳ又はＵＣＩを伝送することに用いられる。
各リソースセット内のＲＥにおいて、少なくとも２つのＲＥはその周波数領域の位置が異なる。選択肢として、１つのリソースセット内の一部ＲＥの周波数領域の位置は同じであり、他の一部ＲＥの周波数領域の位置は異なり、又は、１つのリソースセット内の、全てのＲＥの周波数領域の位置はいずれも異なる。１つのリソースセット内のＲＥをできるだけ離散分布させることで、該リソースセットがＲＳを伝送することに用いられる時に、より良いチャネル推定の利得を獲得できる。
ステップ３０２では、アクセスネットワーク装置は端末装置に設定シグナリングを送信し、該設定シグナリングは少なくとも２つのリソースセットにおいて第一種類リソースセットと第二種類リソースセットを設定することに用いられ、第一種類リソースセットはアップリンク制御チャネルにおけるアップリンク制御情報を伝送することに用いられ、第二種類リソースセットはアップリンク制御チャネルにおけるアップリンク参照信号を伝送することに用いられる。
１つのリソースセットをＲＳ伝送に使用するか、それともＵＣＩ伝送に使用するかは、アクセスネットワーク装置によってダイナミックに設定される。例えば、図２におけるリソースセット１はＲＳ伝送に使用し、リソースセット２とリソースセット３はＵＣＩ伝送に使用し、また例えば、図２におけるリソースセット１とリソースセット２はＲＳ伝送に使用し、リソースセット３はＵＣＩ伝送に使用する。
端末装置の実際のアップリンク送信シーンに合わせて、アクセスネットワーク装置は、端末装置のために設定シグナリングを生成する。該設定シグナリングは、短いＰＵＣＣＨのための、少なくとも２つのリソースセットにおいて、第一種類リソースセットと第二種類リソースセットを設定することに用いられる。第一種類リソースセットは、短いＰＵＣＣＨにおけるＵＣＩを伝送することに用いられ、第二種類リソースセットは、短いＰＵＣＣＨにおけるＲＳを伝送することに用いられる。第一種類リソースセットは１つ又は複数のリソースセットを含み、第二種類リソースセットは１つ又は複数のリソースセットを含む。ＲＳ送信不要なシーンにおいては、第二種類リソースセットはゼロであってもよい。
該設定シグナリングの具体的な設定方式は以下３種類の設定方式のいずれか１つを採用してもよい。
第一の設定方式では、該設定シグナリングは第一種類リソースセットを明示的に設定し、第二種類リソースセットが第一種類リソースセット以外の他のリソースセットであることを暗黙に指示することに用いられ、例えば図２で、アクセスネットワーク装置は設定シグナリングにおいて、リソースセット１が第一種類リソースセットであることを明示的に指示し、そうすると、端末は設定シグナリングに基づいて、リソースセット１が第一種類リソースセットであると確定すると、リソースセット２とリソースセット３が第二種類リソースセットであると確定する。
第二の設定方式では、該設定シグナリングは第二種類リソースセットを明示的に設定し、第一種類リソースセットが第二種類リソースセット以外の他のリソースセットであることを暗黙に指示することに用いられ、例えば図２で、アクセスネットワーク装置は設定シグナリングにおいて、リソースセット２が第二種類リソースセットであることを明示的に指示し、そうすると、端末は設定シグナリングに基づいて、リソースセット２が第二種類リソースセットであると確定すると、第二種類リソースセット以外の他のリソースセットが第一種類リソースセットであると確定し、即ち、リソースセット１とリソースセット３が第一種類リソースセットであると確定する。
第三の設定方式では、該設定シグナリングは第一種類リソースセットと第二種類リソースセットを明示的に設定することに用いられ、例えば図２で、アクセスネットワーク装置は設定シグナリングにおいて、リソースセット２と３が第一種類リソースセットであり、リソースセット１が第二種類リソースセットであることを明示的に指示し、そうすると、端末は設定シグナリングに基づいて、リソースセット２と３が第一種類リソースセットであり、リソースセット１が第二種類リソースセットであると確定する。
選択肢として、第二の設定シグナリングを採用し、即ち、該設定シグナリングは第二種類リソースセットを明示的に設定し、第一種類リソースセットが第二種類リソースセット以外の他のリソースセットであることを暗黙に指示することに用いられる。
選択肢として、該設定シグナリングは高層シグナリング又はダウンリンク制御シグナリング（ＤＣＩ、Ｄｏｗｎｌｉｎｋ Ｃｏｎｔｒｏｌ Ｉｎｆｏｒｍａｔｉｏｎ）に含まれて送信され、例えば、高層シグナリングは無線リソース制御（ＲＲＣ、Ｒａｄｉｏ Ｒｅｓｏｕｒｃｅ Ｃｏｎｔｒｏｌ）再構成シグナリングであってもよい。該設定シグナリングは、半静的に設定又はダイナミックに通知されてもよい。
ステップ３０３では、端末装置は少なくとも２つのリソースセットを確定し、少なくとも２つのリソースセットの各リソースセット内のリソースエレメントにおいて、少なくとも２つのリソースエレメントはその周波数領域の位置が異なる。
選択肢として、端末装置はアクセスネットワーク装置と同じリソースセット分割方式に基づいて、短いＰＵＣＣＨのための時間周波数リソースを、少なくとも２つのリソースセットに分割する。各リソースセットはＲＳ又はＵＣＩを伝送することに用いられる。
ステップ３０３はステップ３０２の前に、又はステップ３０２と同時に、又はステップ３０２の後に実行されてもよく、又はステップ３０４の後に実行されてもよく、本実施例はこれを限定しない。
ステップ３０４では、端末装置はアクセスネットワーク装置から送信された設定シグナリングを受信する。
ステップ３０５では、端末装置は設定シグナリングに基づいて、少なくとも２つのリソースセットから第一種類リソースセットと第二種類リソースセットを確定する。
第一種類リソースセットはアップリンク制御チャネルにおけるアップリンク制御情報を伝送することに用いられ、第二種類リソースセットはアップリンク制御チャネルにおけるアップリンク参照信号を伝送することに用いられる。
ステップ３０６では、端末装置はアップリンク制御チャネルを送信する。
端末装置は設定シグナリングに基づいて、第一種類リソースセットのリソースエレメントにおいてアップリンク制御情報、例えば、ＡＣＫ／ＮＡＣＫを送信し、第二種類リソースセットのリソースエレメントにおいてアップリンク参照信号、例えば、復調参照信号（ＤＭ−ＲＳ、Ｄｅｍｏｄｕｌａｔｉｏｎ  Ｒｅｆｅｒｅｎｃｅ  Ｓｉｇｎａｌ）を送信する。
ステップ３０７では、アクセスネットワーク装置は端末装置のアップリンク制御チャネルを受信する。
アクセスネットワーク装置は設定シグナリングに基づいて、第一種類リソースセットのリソースエレメントにおいてアップリンク制御情報、例えば、ＡＣＫ／ＮＡＣＫを受信し、第二種類リソースセットのリソースエレメントにおいてアップリンク参照信号、例えば、ＤＭ−ＲＳを受信する。
【手続補正７】
【補正対象書類名】明細書
【補正対象項目名】００６４
【補正方法】変更
【補正の内容】
【００６４】
模式的に、Ｔ＝２、Ｎ＝２と仮定し、図７を参照して、短いＰＵＣＣＨのための時間周波数リソースは、２個のＰＲＢの２個の時間領域シンボルの４８個のＲＥを含む。各ＰＲＢの各時間領域シンボルにおける１２個のＲＥを２つのリソースセットに分割して、合わせて、Ｐ＝Ｔ＊Ｎ＊Ｂ＝２＊２＊２＝８個のリソースセットを得る。即ち、一番目ＰＲＢの一番目時間領域シンボルにおける、番号が１、３、５、７、９、１１の合わせて６個のＲＥはリソースセットａに分割され、一番目ＰＲＢの一番目時間領域シンボルにおける、番号が１３、１５、１７、１９、２１、２３の合わせて６個のＲＥはリソースセットｂに分割され、一番目ＰＲＢの二番目時間領域シンボルにおける、番号が１、３、５、７、９、１１の合わせて６個のＲＥはリソースセットｃに分割され、一番目ＰＲＢの二番目時間領域シンボルにおける、番号が１３、１５、１７、１９、２１、２３の合わせて６個のＲＥはリソースセットｄに分割され、二番目ＰＲＢの一番目時間領域シンボルにおける、番号が１、３、５、７、９、１１の合わせて６個のＲＥはリソースセットｅに分割され、二番目ＰＲＢの一番目時間領域シンボルにおける、番号が１３、１５、１７、１９、２１、２３の合わせて６個のＲＥはリソースセットｆに分割され、二番目ＰＲＢの二番目時間領域シンボルにおける、番号が１、３、５、７、９、１１の合わせて６個のＲＥはリソースセットｇに分割され、二番目ＰＲＢの二番目時間領域シンボルにおける、番号が１３、１５、１７、１９、２１、２３の合わせて６個のＲＥはリソースセットｈに分割される。
【手続補正８】
【補正対象書類名】明細書
【補正対象項目名】００６６
【補正方法】変更
【補正の内容】
【００６６】
模式的に、Ｔ＝２、Ｎ＝２と仮定し、図８を参照して、短いＰＵＣＣＨのための時間周波数リソースは、２個のＰＲＢの２個の時間領域シンボルの４８個のＲＥを含む。一番目のＰＲＢの各時間領域シンボルにおける１２個のＲＥを３つのリソースセットに分割し、二番目のＰＲＢに一番目のＰＲＢと同じセット分割方式を採用して、合わせて、Ｐ＝Ｎ＊Ｃ＝２＊３＝６個のリソースセットを得る。即ち、一番目ＰＲＢの一番目時間領域シンボルにおける、番号が１、４、７、１０の合わせて４個のＲＥはリソースセットａに分割され、一番目ＰＲＢの一番目時間領域シンボルにおける、番号が２、５、８、１１の合わせて４個のＲＥはリソースセットｂに分割され、一番目ＰＲＢの一番目時間領域シンボルにおける、番号が３、６、９、１２の合わせて４個のＲＥはリソースセットｃに分割され、一番目ＰＲＢの二番目時間領域シンボルにおける、番号が１、４、７、１０の合わせて４個のＲＥはリソースセットｄに分割され、一番目ＰＲＢの二番目時間領域シンボルにおける、番号が２、５、８、１１の合わせて４個のＲＥはリソースセットｅに分割され、一番目ＰＲＢの二番目時間領域シンボルにおける、番号が３、６、９、１２の合わせて４個のＲＥはリソースセットｆに分割される。
【手続補正９】
【補正対象書類名】明細書
【補正対象項目名】００８８
【補正方法】変更
【補正の内容】
【００８８】
端末装置が第一種類リソースセット内のＲＥにおいてアップリンク制御情報を送信する場合、該端末装置はＵＣＩを変調して、少なくとも１つの送信対象のＵＣＩ変調シンボルを得て、各第一種類リソースセットは、それぞれ１つのＵＣＩ変調シンボルを伝送することに用いられる。端末装置が１つのＵＣＩ変調シンボルを拡散シーケンスによって拡散した後、対応する第一種類リソースセット内の全てのＲＥにおいて伝送する。
【手続補正１０】
【補正対象書類名】明細書
【補正対象項目名】００９６
【補正方法】変更
【補正の内容】
【００９６】
図１０を参照する。図１０は本願の１つの実施例に提供されるアップリンクデータ装置の構造模式図を示す。該アップリンクデータ装置は、ソフトウェア、ハードウェア、及びその両者の組み合わせによって実現され、アクセスネットワーク装置の全部又は一部となってもよい。該アップリンクデータ装置は、確定ユニット１００１、送信ユニット１００２、及び受信ユニット１００３を含む。
【手続補正１１】
【補正対象書類名】明細書
【補正対象項目名】００９７
【補正方法】変更
【補正の内容】
【００９７】
確定ユニット１００１は、上記のステップ３０１、及びその他の明示される又は暗黙に含まれる確定ステップの機能の少なくとも１つのを実行することに用いられる。
【手続補正１２】
【補正対象書類名】明細書
【補正対象項目名】００９８
【補正方法】変更
【補正の内容】
【００９８】
送信ユニット１００２は、上記のステップ３０２、ステップ３０２ａ、ステップ３０３ａ、及びその他の明示される又は暗黙に含まれる送信ステップの送信機能の少なくとも１つを実行することに用いられる。
【手続補正１３】
【補正対象書類名】明細書
【補正対象項目名】０１００
【補正方法】変更
【補正の内容】
【０１００】
図１１を参照する。図１１は本願の１つ例示的な実施例に提供される端末装置の構造模式図を示す。該端末装置は、プロセッサ１１、受信機１２、送信機１３、メモリ１４、及びバス１５を含む。
【手続補正１４】
【補正対象書類名】明細書
【補正対象項目名】０１０５
【補正方法】変更
【補正の内容】
【０１０５】
メモリ１４は、少なくとも１つの機能のアプリケーションモジュール１６を記憶することができる。アプリケーションモジュール１６は、確定モジュール１６１、受信モジュール１６３、送信モジュール１６２を含んでもよい。
【手続補正１５】
【補正対象書類名】明細書
【補正対象項目名】０１０６
【補正方法】変更
【補正の内容】
【０１０６】
プロセッサ１１は、確定モジュール１６１を実行して、上記各方法実施例における、確定ステップに関する機能を実現することに用いられ、プロセッサ１１は、送信モジュール１６２を実行して、上記各方法実施例における、送信ステップに関する機能を実現することに用いられ、プロセッサ１１は、受信モジュール１６３を実行して、上記各方法実施例における、受信ステップに関する機能を実現することに用いられる。
【手続補正１６】
【補正対象書類名】明細書
【補正対象項目名】０１１８
【補正方法】変更
【補正の内容】
【０１１８】
または、端末装置は上記図１１に提供された端末装置であってもよく、アクセスネットワーク装置は上記図１２に提供されたアクセスネットワーク装置であってもよい。
【手続補正１７】
【補正対象書類名】特許請求の範囲
【補正対象項目名】全文
【補正方法】変更
【補正の内容】
【特許請求の範囲】
【請求項１】
アップリンク伝送方法であって、前記方法は、
端末装置が少なくとも２つのリソースセットを確定し、前記少なくとも２つのリソースセットの各リソースセット内のリソースエレメントにおいて、少なくとも２つのリソースエレメントはその周波数領域の位置が異なることと、
前記端末装置がアクセスネットワーク装置から送信された設定シグナリングを受信することと、
前記端末装置が前記設定シグナリングに基づいて前記少なくとも２つのリソースセットから一つの又は複数の第一種類リソースセットを確定し、前記一つの又は複数の第一種類リソースセットは、アップリンク制御チャネルにおけるアップリンク制御情報を伝送することに用いられることと、
前記端末装置が前記アップリンク制御チャネルを送信することと、を含むことを特徴とする、アップリンク伝送方法。
【請求項２】
前記方法は、
前記端末装置が前記設定シグナリングに基づいて前記少なくとも２つのリソースセットから一つの又は複数の第二種類リソースセットを確定し、前記一つの又は複数の第二種類リソースセットは、前記アップリンク制御チャネルにおけるアップリンク参照信号を伝送することに用いられることを更に含むことを特徴とする、請求項１に記載の方法。
【請求項３】
前記設定シグナリングは前記一つの又は複数の第二種類リソースセットを明示的に設定し、前記一つの又は複数の第一種類リソースセットが前記一つの又は複数の第二種類リソースセット以外の他のリソースセットであることを暗黙に指示することに用いられることを特徴とする、請求項１又は２に記載の方法。
【請求項４】
前記アップリンク参照信号に採用される参照信号シーケンスの長さＱは、前記アップリンク参照信号に対応する１つの前記第二種類リソースセットにおけるリソースエレメント数に相等し、
又は、
前記アップリンク参照信号に採用される参照信号シーケンスの長さＱは、前記アップリンク参照信号に対応する１つの前記第二種類リソースセットの、単一リソースブロックにおけるリソースエレメント数に相等することを特徴とする、請求項２に記載の方法。
【請求項５】
前記少なくとも２つのリソースセットの各リソースセットに含まれるリソースエレメント数は同じであることを特徴とする、請求項１〜４のいずれか１項に記載の方法。
【請求項６】
前記少なくとも２つのリソースセットの数は時間領域ユニットの数に等しいことを特徴とする、請求項１〜５のいずれか１項に記載の方法。
【請求項７】
前記少なくとも２つのリソースセットの各リソースセット内のリソースエレメントは、周波数領域において、一つのリソースブロックに属することを特徴とする、請求項１〜５のいずれか１項に記載の方法。
【請求項８】
前記少なくとも２つのリソースセットの各リソースセット内のリソースエレメントは、周波数領域において複数のリソースブロックに属し、前記アップリンク制御チャネルは前記複数のリソースブロックを介して伝送を行うことを特徴とする、請求項１〜５のいずれか１項に記載の方法。
【請求項９】
少なく１つの第一種類リソースセットは前記ＵＣＩを伝送するためのセットであり、各前記第一種類リソースセットは１つのＵＣＩ変調シンボルを伝送することに用いられ、
各前記ＵＣＩ変調シンボルは拡散された後、前記少なく１つの第一種類リソースセット内にある全てのリソースエレメントにマッピングされて伝送されることを特徴とする、請求項１〜８のいずれか１項に記載の方法。
【請求項１０】
アップリンク伝送装置であって、前記装置は、
少なくとも２つのリソースセットを確定し、前記少なくとも２つのリソースセットの各リソースセット内のリソースエレメントにおいて、少なくとも２つのリソースエレメントはその周波数領域の位置が異なることに用いられる確定ユニットと、
アクセスネットワーク装置から送信された設定シグナリングを受信することに用いれる受信ユニットと、
前記アップリンク制御チャネルを送信することに用いられる送信ユニットと、を含み、
前記確定ユニットは前記設定シグナリングに基づいて前記少なくとも２つのリソースセットから一つの又は複数の第一種類リソースセットを確定し、前記一つの又は複数の第一種類リソースセットは、アップリンク制御チャネルにおけるアップリンク制御情報を伝送することに用いられることを特徴とする、アップリンク伝送装置。
【請求項１１】
前記確定ユニットは更に前記設定シグナリングに基づいて前記少なくとも２つのリソースセットから一つの又は複数の第二種類リソースセットを確定し、前記一つの又は複数の第二種類リソースセットは、前記アップリンク制御チャネルにおけるアップリンク参照信号を伝送することに用いられることを特徴とする、請求項１０に記載の方法。
【請求項１２】
前記設定シグナリングは前記一つの又は複数の第二種類リソースセットを明示的に設定し、前記一つの又は複数の第一種類リソースセットが前記一つの又は複数の第二種類リソースセット以外の他のリソースセットであることを暗黙に指示することに用いられることを特徴とする、請求項１０又は１１に記載の方法。
【請求項１３】
前記アップリンク参照信号に採用される参照信号シーケンスの長さＱは、前記アップリンク参照信号に対応する１つの前記第二種類リソースセットにおけるリソースエレメント数に相等し、
又は、
前記アップリンク参照信号に採用される参照信号シーケンスの長さＱは、前記アップリンク参照信号に対応する１つの前記第二種類リソースセットの、単一リソースブロックにおけるリソースエレメント数に相等することを特徴とする、請求項１０に記載の装置。
【請求項１４】
前記少なくとも２つのリソースセットの各リソースセットに含まれるリソースエレメント数は同じであることを特徴とする、請求項１０〜１３のいずれか１項に記載の装置。
【請求項１５】
前記少なくとも２つのリソースセットの数は時間領域ユニットの数に等しいことを特徴とする、請求項１０〜１４のいずれか１項に記載の方法。
【請求項１６】
前記少なくとも２つのリソースセットの各リソースセット内のリソースエレメントは、時間領域において、一つの時間領域ユニットに属することを特徴とする、請求項１０〜１４のいずれか１項に記載の装置。
【請求項１７】
前記少なくとも２つのリソースセットの各リソースセット内のリソースエレメントは、周波数領域において、一つのリソースブロックに属することを特徴とする、請求項１０〜１４のいずれか１項に記載の方法。
【請求項１８】
前記少なくとも２つのリソースセットの各リソースセット内のリソースエレメントは、周波数領域において複数のリソースブロックに属し、前記アップリンク制御チャネルは前記複数のリソースブロックを介して伝送を行うことを特徴とする、請求項１０〜１４のいずれか１項に記載の装置。
【請求項１９】
前記少なくとも２つのリソースセットの各リソースセット内の、一つの時間領域ユニットに属するリソースエレメントは、周波数領域において、等間隔分布することを特徴とする、請求項１０〜１８のいずれか１項に記載の装置。
【請求項２０】
前記少なくとも２つのリソースセットは、まず周波数領域それから時間領域の順序で索引を行い、
又は、
前記少なくとも２つのリソースセットは、まず時間領域それから周波数領域の順序で索引を行い、
又は、
前記少なくとも２つのリソースセットは、各リソースブロックにおいて、まず周波数領域それから時間領域の順序で索引を行い、更に前記リソースブロック間の昇順または降順で索引を行い、
又は、
前記少なくとも２つのリソースセットは、各リソースブロックにおいて、まず時間領域それから周波数領域の順序で索引を行い、更に前記リソースブロック間の昇順または降順で索引を行うことを特徴とする、請求項１０〜１９のいずれか１項に記載の装置。
【請求項２１】
前記リソースセットのセット分割方式は事前に定義又は事前に設定されたものであることを特徴とする、請求項１０〜２０のいずれか１項に記載の装置。
【請求項２２】
少なく１つの第一種類リソースセットは前記ＵＣＩを伝送するためのセットであり、各前記第一種類リソースセットは１つのＵＣＩ変調シンボルを伝送することに用いられ、
各前記ＵＣＩ変調シンボルは拡散された後、前記少なく１つの第一種類リソースセット内にある全てのリソースエレメントにマッピングされて伝送されることを特徴とする、請求項１０〜２１のいずれか１項に記載の装置。
【手続補正１８】
【補正対象書類名】図面
【補正対象項目名】図３
【補正方法】変更
【補正の内容】
【図３】
2020515142.tif 000015
【手続補正１９】
【補正対象書類名】図面
【補正対象項目名】図４
【補正方法】変更
【補正の内容】
【図４】
2020515142.tif 000016
【国際調査報告】
2020515142.tif 000017
2020515142.tif 000018
2020515142.tif 000019
2020515142.tif 000020